(57)【要約】      （修正有）【課題】施術者がロッド、輪ゴム、ペーパー、ピン、ハサミ、カーラー、パーマネント液等を機能的かつコンパクトに収納、所持し、一つ一つ取り出し易くしたので、パーマネントウェーブの施術作業効率が向上し、スムーズに施術作業を進めることができるとともに、大型の移動式ワゴン等の設置スペースを確保する必要がなくなり、美容室、理容室の店内の空間を有効的に利用することのできるパーマネント用エプロンを提供する。【解決手段】帯状若しくは袋状のエプロン１に、パーマネント用ロッドを収容するロッド収容部２と、理美容器具を収容するアタッチメント１２と、を備えたパーマネント用エプロンであって、（ａ）ロッド収容部が袋状に形成され、（ｂ）アタッチメントが一部に開口部を有する筒状に形成され、アタッチメントとエプロンとが互いを着脱自在に係止するアタッチメント係止手段を備えて、パーマネント用エプロンを構成する。【選択図】図６
0003158095.tif 000002
【実用新案登録請求の範囲】
【請求項１】
帯状若しくは袋状のエプロンに、
パーマネント用ロッドを収容するロッド収容部と、
理美容器具を収容するアタッチメントと、を備えたパーマネント用エプロンであって、
（ａ）前記ロッド収容部が袋状に形成され、
（ｂ）前記アタッチメントが一部に開口部を有する筒状に形成され、
前記アタッチメントと前記エプロンとが互いを着脱自在に係止するアタッチメント係止手段を備えたことを特徴とするパーマネント用エプロン。
【請求項２】
帯状若しくは袋状のエプロンに、
（ａ）少なくとも２以上のゴム掛止部材を備え、パーマネント用ゴムを輪状に収納するパーマネント用ゴム収納部と、
（ｂ）箱体又は袋状に形成され、パーマネント用ペーパーを収納するパーマネント用ペーパー収納部と、
（ｃ）袋状に形成され、パーマネント用ロッドを収納するロッド収納部と、
のいずれか１以上を備えたことを特徴とするパーマネント用エプロン。
【請求項３】
前記アタッチメントが、
（ａ）少なくとも２以上のゴム掛止部材を備え、パーマネント用ゴムを輪状に収納するパーマネント用ゴム収容部と、
（ｂ）箱体又は袋状に形成されたパーマネント用ペーパー収容部と、
が１の基台に固定又は着脱自在に備えたことを特徴とした請求項１に記載のパーマネント用エプロン。
【請求項４】
前記パーマネント用ゴム収容部の対向する前記ゴム掛止部材が拡狭自在に前記基台に備えたことを特徴とする請求項２または３に記載のパーマネント用エプロン。
【請求項５】
前記ゴム掛止部材の先端に傾斜、又は凸部が形成された抜け防止部を有することを特徴とする請求項２乃至４のうちいずれか１項に記載のパーマネント用エプロン。
【請求項６】
前記パーマネント用ゴム収納部が、
（ａ）左右対称に並設させた断面Ｕ字形のゴム掛止部材を有するゴム掛け具と、
（ｂ）前記ゴム掛け具を前記エプロン若しくは前記基台面に固定又は着脱自在に係止する支持板と、
を備えたことを特徴とする請求項２乃至５のうちいずれか１項に記載のパーマネント用エプロン。
【請求項７】
前記パーマネント用ゴム収納部が、
（ａ）前記エプロン若しくは前記基台面に対して左右対称に傾斜させて並設させたゴム脱落防止部と、
（ｂ）前記エプロン面若しくは前記基台面から所定間隔離して前記エプロン面若しくは前記基台面と略水平方向に左右対称に並設させたゴム受部とを有するゴム掛け具と、
（ｃ）前記ゴム掛け具を前記エプロン若しくは前記基台面に固定又は着脱自在に係止する支持板と、
を備えたことを特徴とする請求項２乃至６のうちいずれか１項に記載のパーマネント用エプロン。
【請求項８】
前記パーマネント用ペーパー収容部が、
（ａ）パーマネント用ペーパーを収納する箱体と、
（ｂ）前記箱体を脱着自在に支持する箱体ケースとからなり、
前記箱体は、底面の一端を開口させ、一側面の下方を開口させるとともに、前記エプロン面若しくは前記基台面と反対側の前面の下方一部を開口させてペーパー取出し口とし、前記底面の内壁にペーパー押えを備えたことを特徴とする請求項２乃至７のうちいずれか１項に記載のパーマネント用エプロン。
【請求項９】
前記箱体の前記前面の開口部と、前記側面の開口部が弧状に切り込まれたことを特徴とする請求項８に記載のパーマネント用エプロン。
【請求項１０】
前記箱体の上面の内壁にペーパー押えを備えたことを特徴とする請求項８または９に記載のパーマネント用エプロン。
【請求項１１】
前記箱体ケースが、
（ａ）前記箱体を上下方向から支持するＬ字形の上ケース・下ケースと、
（ｂ）前記上ケース・下ケースを前記エプロン若しくは前記基台面に固定又は着脱自在に係止する支持板と、
（ｃ）前記支持板に取付けた箱体押えと、
を備えたことを特徴とする請求項８乃至１０のうちいずれか１項に記載のパーマネント用エプロン。
【請求項１２】
パーマネント用小物を収納する袋状の小物収納部及び／又はパーマネント液を含有させた容器を収納する袋状のパーマネント液収納部を備えたことを特徴とする請求項１乃至１１のうちいずれか１項に記載のパーマネント用エプロン。
【請求項１３】
前記パーマネント用エプロンが複数の前記アタッチメント係止手段と、複数の前記アタッチメントとを備えたことを特徴とする請求項１及び３乃至１２のうちいずれか１項に記載のパーマネント用エプロン。
【請求項１４】
前記アタッチメント係止手段が、前記エプロン側または前記アタッチメント側のどちらか一方に被掛止部材を備え、他方に前記被掛止部材に掛止する掛止部材を備えたことを特徴とする請求項１及び３乃至１３のうちいずれか１項に記載のパーマネント用エプロン。
【請求項１５】
前記アタッチメント係止手段が面ファスナーで形成されていることを特徴とする請求項１及び３乃至１４のうちいずれか１項に記載のパーマネント用エプロン。
【請求項１６】
前記エプロンの上端に係止部材を備えたことを特徴とする請求項１乃至１５のうちいずれか１項に記載のパーマネント用エプロン。
【請求項１７】
ベルトと前記エプロンとを面ファスナー及び／又は係止部材によって着脱自在に係止したことを特徴とする請求項１乃至１６のうちいずれか１項に記載のパーマネント用エプロン。
【考案の詳細な説明】
【技術分野】
【０００１】
本発明はパーマネント用エプロンに関し、更に詳しくは、パーマネントウェーブを施す際に必要なパーマネント用ロッド（以下ロッドと略す）、パーマネント用ゴム（以下輪ゴムと略す）及びパーマネント用ペーパー（以下ペーパーと略す）あるいはドライヤーやアイロン，ハサミ，クシ，ヘアピン等の道具類やパーマネント容器等をコンパクトに収納、所持でき、施術作業性を向上させることが可能なパーマネント用エプロンに関するものである。
【背景技術】
【０００２】
パーマネントウェーブの施術作業は、片方の手で一巻き程度の一定量の髪束をコームでスライスして分け取り、これにペーパーをあてがい共にロッドに巻きつけて、輪ゴム等の弾性体をロッドの左右にかけて係止させ、所要時間経過後にウェーブのかかった髪が得られるようになっている。
【０００３】
従来から美容室や理容室において、パーマネントウェーブを施術する際にはロッド、輪ゴム、ペーパー、ピン、ハサミ、カーラー、パーマネント液入り容器等を移動式ワゴン上のトレー内に載置し、このワゴンを施術者の利き手側に移動させ、施術作業を進めるのが一般的である。
【０００４】
しかし、この方法ではワゴンの幅が大きく更に施術作業者はペーパーやロッドを手にしているため被施術者とワゴンとの間を往復したり、施術作業者の向きを変える等して施術しなければならず、移動時間ばかりが多くなって施術作業能率が下がり、施術作業者の労力もさることながら、長時間施術を受ける被施術者にも身体的・精神的な負担を強いる。
【０００５】
これら課題解決の為に、（特許文献１）には、ペーパーを手元に収納できるようにしたケースと前記ケースに取り付ける為のゴム等の弾性体がついているホルダーとを有し、前記ケースが大小２種のペーパーを同時に収められるように設計され、前記ケースが腕に着脱自在にするためのベルトを備え、腕にとりつけた段階でも自由に角度が変えられる、コールドパーマ用ペーパーケースとワインディング用ゴムホルダープレートが開示されている。
（特許文献２）には、パーマネント施術作業者の身回り範囲内に携帯可能に担持される収納箱を有し、この収容箱にペーパーを収容保持するペーパー保持部を、このペーパー保持部からペーパーを引き出しつつ、所要のペーパー長さにカットさせるペーパー片生成部と、が設けられてなる髪巻き用ペーパー載置型携帯理容具収納装置が開示されている。
（特許文献３）には、ベルトと、該ベルトに取り付けられたブラシ入れを含む複数の道具入れと、を有する美容師用ウェストバッグが開示されている。
【先行技術文献】
【特許文献】
【０００６】
【特許文献１】特開２００６−２８０５２５号
【特許文献２】実登３０２１７８５号
【特許文献３】実登３０９２８１９号
【考案の概要】
【考案が解決しようとする課題】
【０００７】
しかしながら、上記従来の技術においては、次の様な課題を有していた。
（１）（特許文献１）では、ペーパーと輪ゴムを取り出す作業性は向上するものの、ロッドを収容できないのでロッドを載置するワゴン等が必要となり、ロッドを手にする作業を改善できていないという課題があった。また、腕につけるものにしては少し大きいので、被施術者に接触して不快な思いをさせてしまう恐れがあるという課題があった。
（２）（特許文献２）では、ワゴンを使用する必要がないものの収納箱が大きくなってしまうので施術者と被施術者との間を収納箱が邪魔をして作業性に欠けるという課題があった。
（３）（特許文献３）では、収納性のみが重視され機能的に収容されていないので、使用する道具が増えればその分だけ道具入れを増設しなければならず、また同じ道具、例えばロッドでも複数種のロッドを使用する場合にはその種類の分だけ道具入れを増設する必要があり、しかも増設には限界があるため結局は多種の道具を収容できないという課題があった。また、ベルトと道具入れの取り外しが簡易でないので、道具入れの交換等に時間がかかるという課題があった。
【０００８】
本考案は上記従来の課題を解決する為のもので、各々の施術者がロッド、輪ゴム、ペーパー、ピン、ハサミ、カーラー、パーマネント液等を機能的かつコンパクトに収納、所持し、一つ一つ取り出し易くしたので、パーマネントウェーブの施術作業効率が向上し、スムーズに施術作業を進めることができるとともに、パーマネント以外のサービスを待つ顧客への対応を素早く図ることができ、そのうえ大型の移動式ワゴン等の設置スペースを確保する必要がなくなり、美容室、理容室の店内の空間を有効的に利用することのできるパーマネント用エプロンを提供することを目的とする。
【課題を解決するための手段】
【０００９】
上記従来の課題を解決するために、本考案のパーマネント用エプロンは以下の様な構成を有している。
請求項１に記載の考案は、帯状若しくは袋状のエプロンに、パーマネント用ロッドを収容するロッド収容部と、理美容器具を収容するアタッチメントと、を備えたパーマネント用エプロンであって、（ａ）前記ロッド収容部が袋状に形成され、（ｂ）前記アタッチメントが一部に開口部を有する筒状に形成され、前記アタッチメントと前記エプロンとが互いを着脱自在に係止するアタッチメント係止手段を備えた構成を有している。
この構成により、以下の様な作用が得られる。（以下パーマネント部材はロッドとペーパーと輪ゴムとを意味するものとする。）
（１）複数のロッド収容部を備えることができるので、ロッドを種類毎に小分けして機能的に収容でき、かつロッド以外にもダカールやシングルピン、カーラー等もロッド収容部に収容できるので、パーマネント施術用の道具を本考案のエプロンに全て収容できる。
（２）ロッド、ダカール、シングルピン、カーラー等が機能的に収容できるので、必要なものを瞬時に取り出しやすく、施術作業性に優れる。
（３）アタッチメントが一部に開口部を有する筒状に形成されているので、ドライヤー若しくはアイロン又は１乃至複数本のハサミやクシなどの理美容道具類やパーマネント容器等を収容できる。
（４）アタッチメントが着脱自在な係止手段を用いて係止されているので、例えばパーマネント容器を収容したアタッチメントからカット及びブロー器具などの理美容道具を収容したアタッチメントへの交換が簡単な操作で可能となる。これによって、パーマネント以外のサービスを待つ顧客への対応を、アタッチメントを交換するだけで瞬時に可能となる。
（５）パーマネント施術者は、頭髪の束をパーマネント用ロッドに巻き付ける作業を前向きの姿勢で集中して行うことができ、前かがみの無理な姿勢を長時間取ることによる疲労を回避することができる。
（６）ロッド等や道具類の取り換え、取り外し時間を省き施術時間が短縮され、顧客の負担を軽減することができる。
【００１０】
エプロンの材質としては、布や皮革、人工皮革、合成樹脂製シート等が望ましい。エプロンに設けられたロッド収容部は、エプロンと同一の素材か合成樹脂製シートが好適に用いられる。ロッド収容部に合成樹脂製シートを用いた場合は、パーマネント薬剤に対して耐性のあるロッド収容部とすることができる。
【００１１】
エプロンの形状は、帯状の一枚生地でも良いが、横袋状になっていても良い。エプロンを袋状にして、裏側若しくは上下左右いずれか一方の側面に開口部を設ければ、タオル等を入れる収容部とすることができる。
【００１２】
エプロンに形成するロッド収容部はロッドの種類に応じて深さや口幅を、適宜使用し易い程度に設定できる。
また、ロッド収容部はロッドの種類毎に設けるのが好ましい。
【００１３】
ロッド収容部は上下に並設することにより、パーマネント用エプロンの全体の大きさをコンパクトにした方が施術作業性を更に向上させることができる。
【００１４】
ロッド収容部の作成方法については切り込み式でも貼り付け式でも良い。
貼り付け式では、まずエプロンのロッド収容部に相当する部位にロッド収容部用の生地を縫設・溶着・接着等によって接合する。
切り込み式のロッド収容部の作成方法は（ａ）まずロッド収容部の大きさに合わせて袋を作成し、（ｂ）次にエプロン表面のロッド収容部に相当する部位に必要な長さだけ切り込みを入れ、（ｃ）その切り込みへ袋を入れて、（ｄ）袋と切り込みを縫設・溶着・接着等で接合し、かつ切り込みを縫い込む等して処理することで作成できる。この他にも切り込みを玉縁にしたりなど、適宜ロッド収納部を形成できる。
【００１５】
アタッチメントは、輪ゴムやペーパー等のパーマネント部材や、アイロン，ドライヤー，ハサミ，クシ等の理美容道具等の理美容器具を収容するためのもので、材質は所望の形状・材質・機能が得られるものであれば良い。
例えば、アイロンを収容する為のアタッチメントは、上端に開口部を有する筒体に形成して、更にアイロンと接触する部位に金属を用いることで熱を逃がして火傷やエプロンの焦げを防いだり、ハサミを収容する場合は厚手の生地や皮革・人工皮革又は合成樹脂製シートや金属板等で上端に開口部を有する筒体に形成することで安全に収容することができる。また、ペーパーを収容するアタッチメントでは軽くて丈夫なポリプロピレンやポリエチレン等の熱可塑性樹脂製若しくは熱硬化性樹脂製のプラスチックケースからなる箱体を用いることができる。そして輪ゴムを収容するアタッチメントでは少なくとも２以上のゴム掛止部材を形成することで輪状に収容することができる。
【００１６】
請求項１に記載のアタッチメントでは、円柱状の筒体の上端若しくは側部に開口部を形成したり、三角錘状の筒体を上下反転させてその上面に開口部を形成する等して主に理美容道具を機能的に収容できる。
【００１７】
アタッチメントとエプロンとの係止方法としては、エプロン側にフック掛け部を設け、アタッチメント側にフックやクリップを設けて係止する方法が好適に用いられる。フックを用いることで、アタッチメントの着脱及び交換を容易かつ迅速に行うことができる。また、アタッチメント側とエプロン側に面ファスナーを設けて、お互いを貼り合わせる方法がある。この他にも磁石と鉄板をもちいて係止する等の方法がある。
【００１８】
パーマネント用エプロンを腰へ装備する方法について説明すると、例えばエプロンの上端に紐挿通部を設けて紐を通し、その紐を腰にまわして紐端を結んでパーマネント用エプロンを装備したり、若しくはエプロン上端にベルト挿通部を設けてベルトを通して、そのベルトを腰に巻くことでパーマネント用エプロンを装備する方法等が考えられる。更に、エプロン上端の両側へ帯状のベルトを縫設し、そのベルトに面ファスナーを接合して、このベルトの面ファスナー部をお互いに重ねて貼り合わせることで腰部に固定してパーマネント用エプロンを装備しても良い。
【００１９】
特に装備時間を短くかつ装備を簡易にする方法としては、ベルトとエプロン上端とに面ファスナー及び／又はスナップの様な固定金具を設ける方法や、エプロンの上端にフックやクリップを設ける方法、あるいはベルトにフックを設けてエプロン上端にフック掛け部を設ける方法、若しくは面ファスナーとフック及びクリップを組み合わせて使用する方法等があげられる。この様にベルトとエプロンとの係止手段が構成されたパーマネント用エプロンは、ベルトをパーマネント施術担当中に腰部へつけておけば、カットやブロー等の施術と同時進行にパーマネント施術作業を実施する必要がある場合に、パーマネント施術に入るときにのみエプロンをベルトに係止させて、カットやブローに移る際にエプロンを外すことが容易かつ迅速にできる様になる。
【００２０】
請求項２に記載のパーマネント用エプロンは、帯状若しくは袋状のエプロンに、（ａ）少なくとも２以上のゴム掛止部材を備え、パーマネント用ゴムを輪状に収納するパーマネント用ゴム収納部と、（ｂ）箱体又は袋状に形成され、パーマネント用ペーパーを収納するパーマネント用ペーパー収納部と、（ｃ）袋状に形成され、パーマネント用ロッドを収納するロッド収納部と、のいずれか１以上を備えた構成を有している。
この構成により、以下の様な作用が得られる。
（１）エプロンにゴム収納部とペーパー収納部とロッド収納部を配設したので、パーマネントウェーブを施術する際に必要不可欠な、ロッド、輪ゴム、ペーパーを、パーマネント用エプロンを着用するという動作のみでコンパクトに所持することができ、パーマネントウェーブの施術作業効率を向上させ、施術時間の短縮を図ることが可能となる。
（２）複数のロッド収容部を備えることができるので、ロッドを種類毎に小分けして機能的に収容でき、かつロッド以外にもダカールやシングルピン、カーラー等も収容できるので、パーマネント部材を本発明のエプロンに全て収容できる。
（３）ロッド，ダカール，シングルピン，カーラー等のパーマネント部材が機能的に収容されているので、必要なものを瞬時に取り出しやすく、施術作業性に優れる。
（４）パーマネント施術者は、頭髪の束をパーマネント用ロッドに巻き付ける作業を前向きの姿勢で集中して行うことができ、ワゴン上のパーマネント部材を手に取る際の前かがみの無理な姿勢を長時間取ることによる疲労を回避することができる。
（５）顧客の後方位置で施術作業中、パーマネント施術者は、パーマネント施術に必要なロッド、輪ゴム、ペーパー等のパーマネント部材を移動式ワゴン上まで何度も手を伸ばして取ったり、あるいは店内の隅にあるテーブルまで何度も移動する必要がなくなり、作業性を向上させることができる。
（６）パーマネント部材をすぐに手に取ることができるので施術時間が短縮され、顧客の負担を軽減することができる。
（７）移動式ワゴンを施術者の利き手側に設置する必要がなくなり、店内のスペースの有効利用を図ることができるとともに、施術者やお客が通路等を移動する際に、移動式ワゴンに接触したり、移動式ワゴンにつまずいて怪我をするのを未然に防止することができる。
（８）パーマネント用ゴム収容部が少なくとも２以上のゴム掛止部材を備えた構成を有しているので、輪ゴムを輪状に収容することができ、輪ゴムがばらついたり、取出し難く収容されることが無く、収容時の安定性に優れるとともに輪ゴムの取出しが容易である。
（９）パーマネント用ペーパー収容部が箱体又は袋状に形成されているので、ペーパーがばらつくことがなく、安定的に収容することができる。
【００２１】
ここでエプロンの材質や形状、ロッド収容部の深さ及び数、ロッド収容部の作成方法等は請求項１で説明したものと同様なので説明を省略する。
【００２２】
請求項２に請求項１に記載のアタッチメントは無く、パーマネント用ペーパー収容部とパーマネント用ゴム収容部が直接エプロンに配設されている。これにより、請求項２に記載のパーマネント用エプロンではパーマネント施術に必要な用具を一式機能的に収容したパーマネント用エプロンを得ることができる。
【００２３】
パーマネント用ゴム収容部として、軽くて丈夫なポリプロピレンやポリエチレン等の熱可塑性樹脂製若しくは熱硬化性樹脂製のプラスチックケースのような箱体を用いることができる。この他にも合成樹脂若しくは金属製でゴム架けが可能な少なくとも２以上のゴム掛止部材を一体に備えたものを用いることができる。
少なくとも２以上のゴム掛止部材を全て一体に備えたパーマネント用ゴム収容部を作成する方法としては、１本の金属線から曲げ加工によって全てのゴム掛止部材を作成してパーマネント用ゴム収容部としたり、射出成型によって全てのゴム掛止部材をもつパーマネント用ゴム収容部の成型品を製造する等の方法がある。
【００２４】
ゴム掛止部材としては輪ゴムを掛けられれば良く特に制限はないが、ゴム掛止部材をエプロン面に対して垂直方向に設けて、先端部を概ね輪ゴムの張力と反対方向に曲げた形状にして抜け防止部を設けたものが好適に用いられる。また、ゴム掛止部材の根元部分から輪ゴムの張力の作用方向と反対方向に傾斜をつけてもよく、この場合にはエプロン面に対して傾斜させるのが望ましい。
２本以上のゴム掛止部材は、各々のゴム掛止部材が多角形の頂点に位置する様に配置しても良いし、一直線上に配置しても良い。径の違う輪ゴムを収納出来れば位置関係に特に制限はない。
【００２５】
パーマネント用ペーパー収容部としては、パーマネント用ゴム収容部と同様の材質を用いて箱体に形成することができるが、その他不織布や帆布、織物、ニット等の生地や皮革、合成皮革、合成樹脂製シート等の袋状のケースを用いることができる。布や皮革、人工皮革、合成樹脂製シートを用いると、製造が容易で、ペーパー取出し口やペーパー供給口を容易に形成でき、かつ自由度の高いデザインにすることができる。プラスチックケースを使用する場合定型性に優れ洗浄等のメンテナンスも容易である。
またパーマネント用ペーパー収容部に透明の材質を使用した場合はペーパー残量を容易に確認できる様になる。
【００２６】
ここで、パーマネント用ゴム収容部やパーマネント用ペーパー収容部をエプロンに配設する方法としては、縫設，接着等の接合手段により固定しても良いし、面ファスナーによって着脱自在に係止してもよい。
【００２７】
請求項３に記載のパーマネント用エプロンは、請求項１に記載したパーマネント用エプロンであって、前記アタッチメントが、（ａ）少なくとも２以上のゴム掛止部材を備え、パーマネント用ゴムを輪状に収納するパーマネント用ゴム収容部と、（ｂ）箱体又は袋状に形成されたパーマネント用ペーパー収容部と、が１の基台に固定又は着脱自在に備えた構成を有している。
この構成により、請求項１で得られる作用に加え、以下の様な作用が得られる。
（１）アタッチメントにパーマネント用ゴム収容部とパーマネント用ペーパー収容部を配設することによって、ロッド以外にパーマネント部材を一式パーマネント用エプロンに揃えることができるので、パーマネント施術作業性が格段に向上する。
（２）パーマネント用ゴム収容部やパーマネント用ペーパー収容部を着脱自在に配設することができるので、輪ゴムやペーパーの補填や交換等の作業が簡単にできて作業性を向上させることができる。
【００２８】
基台には、好ましくは１ｍｍ以上より好ましくは２ｍｍ以上３ｍｍ以下程度の厚みをもったポリスチレン等の合成樹脂製の板材が用いられる。１ｍｍ以下の合成樹脂製の板材は変形し易く好ましくないが、ガラス繊維や炭素繊維等の充填材を配合した複合材料等、十分な強度を得られる素材であれば１ｍｍ以下にすることができる。この他にもステンレス板やアルミ板等の金属板を用いることもできる。
【００２９】
パーマネント用ゴム収容部は請求項２のものと同様のものを用いることができる。また、２本以上のゴム掛止部材を全て独立して作成し、このゴム掛止部材をアタッチメント基台に配設することもできる。
ゴム掛止部材各々を直接基台に接合する場合、基台には輪ゴムの張力に負けて基台が歪まない厚みを持つものを使用する。
【００３０】
パーマネント用ゴム収容部は基台に固定もしくは着脱自在に配設されるが、パーマネント用ゴム収容部を基台に固定する方法としては、パーマネント用ゴム収容部の裏面と基台の表面とをホットボンドや瞬間接着剤及び両面テープ等で接着する方法や、基台の裏側からパーマネント用ゴム収容部に螺子を通してナットで基台とパーマネント用ゴム収容部とを締め付けて固定する方法等がある。
この他、パーマネント用ゴム収容部の裏側に雄螺子を形成しておき、基台の表面からの裏側にかけてこの雄螺子を貫通させて、ナットによって締め付けることで固定する方法等様々な固定手段を使用することができる。
【００３１】
パーマネント用ゴム収容部と基台とを着脱自在に配設する方法としては、パーマネント用ゴム収容部の裏と基台の表面とを面ファスナーで接合させる方法や、パーマネント用ゴム収容部の裏側と基台の表面とをスナップで接合させたり、磁石を用いるなど様々な方法を使用することができる。
【００３２】
パーマネント用ペーパー収容部は請求項２と同様のものを用いることができる。
【００３３】
パーマネント用ペーパー収容部と基台とを着脱自在に配設する方法は、パーマネント用ゴム収容部を基台へ着脱自在に配設する方法と同様の方法が用いられる。その他、パーマネント用ペーパー収容部を硬質の材料で箱体に作成する場合には、箱底部に厚みをつけて板状に左右に広がる様に雄スライド嵌合部を設け、その雄スライド嵌合部と嵌合する雌スライド嵌合部を基台に設けて両者をスライド嵌合させる方法等がある。
パーマネント用ペーパー収容部が着脱自在に基台へ接合されている場合、ペーパー補填時にはアタッチメントからパーマネント用ペーパー収容部のみを取り外してペーパーを補填するだけでよく、更に別個ペーパーを補填済みのパーマネント用ペーパー収容部を用意しておけば、これと交換するだけでペーパー切れに対応することができる。
【００３４】
パーマネント用ペーパー収容部を基台に固定する方法としては、パーマネント用ゴム収容部を基台に固定する方法と同様の方法を用いる。
【００３５】
請求項４に記載のパーマネント用エプロンは、請求項２または３に記載のパーマネント用エプロンであって、前記パーマネント用ゴム収容部の対向する前記ゴム掛止部材が拡狭自在に前記基台に備えた構成を有している。
この構成により、請求項２または３で得られる作用に加えて、以下の様な作用が得られる。
（１）対向するゴム掛止部材がゴム収容基部に拡狭自在に配設されているので、各々のゴム掛止部材同士の間隔を拡げたり狭めたりして様々な径の輪ゴムを係止することができるので、汎用性に優れる。
【００３６】
ここで、基台に一定の所定間隔で形成された嵌合凹部を備え、少なくとも２以上のゴム掛止部材には後端に前記嵌合凹部に嵌合する嵌合凸部を備えた構成にすることで、所定間隔で形成された嵌合凹部にゴム掛止部材の嵌合凸部を嵌合させて容易に各々のゴム掛止部材の間隔を拡狭して調節することができる。嵌合凹部を雌螺子に形成し、嵌合凸部を雄螺子に形成することもでき、この場合ゴム収容基部とゴム掛止部材を強固に固定することができるとともに、容易に着脱自在で拡狭調節が容易となる。
また、基台に対向するゴム掛止部材を摺動可能に配設して、ゴム掛止部材を摺動させることで各々のゴム掛止部材同士の間隔を拡げたり狭めたりして様々な径の輪ゴムを収容することもできる。
ゴム掛止部材を基台に摺動可能に配設する方法としては、基台に凹型のレールを形成し、更にゴム掛止部材後端に前記凹型のレールに摺動可能に嵌合する嵌合凸部を形成する等の方法がある。
【００３７】
請求項５に記載のパーマネント用エプロンは、請求項２乃至４のうちいずれか１項に記載のパーマネント用エプロンであって、前記ゴム掛止部材の先端に傾斜、又は凸部が形成された抜け防止部を有する構成を有している。
この構成により、請求項２乃至４のうちいずれか１項で得られる作用に加えて、以下の様な作用が得られる。
（１）ゴム掛止部材の先端が傾斜した抜け防止部を備えているので、輪ゴムを収容した際に先端の傾斜によって輪ゴムが引っ掛かり、ゴム掛止部材から輪ゴムが脱落するのを防止することができる。
（２）ゴム掛止部材の先端に凸部が形成された抜け防止部を備えているので、輪ゴムを収容した際にゴム掛止部材先端の凸部によって輪ゴムが引っ掛かり、ゴム掛止部材からの脱落を防止することができる。
【００３８】
ここで、ゴム掛止部材の先端に形成される凸部を、球状や四角柱状、三角柱状、円盤状等に形成することができる。また、ゴム掛止部材の先端を単に大径化させて凸部とすることもできる。
【００３９】
請求項６に記載のパーマネント用エプロンは、請求項２乃至５のうちいずれか１項に記載のパーマネント用エプロンであって、前記パーマネント用ゴム収納部が、（ａ）左右対称に並設させた断面Ｕ字形の突設部を有するゴム掛け具と、（ｂ）前記ゴム掛け具を前記エプロン若しくは前記基台面に固定又は着脱自在に係止する支持板と、を備えた構成を有している。
この構成により、請求項２乃至５のうちいずれか１項で得られる作用に加えて、以下の様な作用が得られる。
（１）ゴム掛け部が簡易な構造を有するので、パーマネント用エプロンを容易に製作することができる
（２）輪ゴムを容易にゴム掛け具に掛けて収容することができ、また輪ゴムの取出しが容易で、施術作業性が良くなる
【００４０】
ゴム掛け具の材質にはポリスチレン，ポリエチレン，ポリプロピレン，ポリカーボネート等の合成樹脂製やステンレスやアルミニウム等の金属製が用いられる。ゴム掛け具は使用するゴムの大小に合わせて大きさの異なるものを複数用意すると良い。
支持板は、１乃至複数個のゴム掛け具をエプロン若しくは基台に着脱自在に係止する為の手段を提供するためのもので、支持板の表面にはゴム掛け具を１乃至複数個取り付けて、裏側はエプロン若しくは基台と面ファスナーやスナップ或いは磁石等の着脱自在な係止手段によって係止される。材質には軽量且つ耐久性に優れる樹脂、特にポリプロピレン，ポリスチレン，ポリカーボネート，アクリル樹脂，塩化ビニール樹脂，ウレタン樹脂，天然ゴム，ブタジエン−スチレン系ゴム等の合成ゴム，アルミ，アルミ合金，ステンレス等が使用されるが、特に限定されるものではない。
【００４１】
請求項７に記載のパーマネント用エプロンは、請求項２乃至６のうちいずれか１項に記載のパーマネント用エプロンであって、前記パーマネント用ゴム収納部が、（ａ）左右対称に前記エプロン若しくは前記基台面に対して傾斜させて並設させたゴム脱落防止部と、（ｂ）前記エプロン面若しくは前記基台面から所定間隔離して前記エプロン面若しくは前記基台面と略水平方向に左右対称に並設させたゴム受部とを有するゴム掛け具と、（ｃ）前記ゴム掛け具を前記エプロン若しくは前記基台面に固定又は着脱自在に係止する支持板と、を備えた構成を有している。
この構成により、請求項２乃至６のうちいずれか１項で得られる作用に加えて、以下の様な作用が得られる。
（１）輪ゴムを一本一本片手で容易に取り出すことが可能となり、よって、大量のロッドに頭髪の束を巻き付ける作業において、作業の迅速性、確実性に極めて優れる。
（２）輪ゴムの取出しがスムーズとなるので、頭髪をロッドに巻き付けた後、すぐに輪ゴムをロッドに掛けることができるので、ロッドに巻き付けられた頭髪の束がゆるんで乱れることなく、均一なパーマネントウェーブを形成することができる。
（３）突出部がエプロン面若しくは基台面に対して傾斜した角度で並設されているので、輪ゴムはしっかりとゴム収納部に固定され、パーマネント施術者がエプロンを着用しても、輪ゴムがゴム掛け具から脱落することを防止する。
（４）エプロン面から所定間隔離した位置に、突出部がエプロン面と略水平方向に並設されているので、輪ゴムがエプロン面に接することなく掛けられ、輪ゴムを一本一本容易に取り出すことができる。
（５）エプロン若しくは基台へ固定する為の支持板を取り付けたので、ゴム掛け具をエプロン若しくは基台に固定することができ、安定性を保つことができる。
【００４２】
ゴム掛け具は、エプロン面に対して５０°〜８０°、好ましくは６０°〜７０°傾斜させるのが望ましい。ここで、６０°より小さい角度で傾斜させると、輪ゴムが一本ずつ取り出し難くなり、また、７０°より大きい角度で傾斜させると、輪ゴムが突出部から外れ易くなり、いずれも好ましくない。特に傾斜角が５０°未満もしくは８０°よりも大きくなるとこの傾向が著しいので好ましくない。ゴム掛け具の材質や支持板、支持板とエプロン若しくは基台との接合方法については請求項５で説明したものと同様なので説明を省略する。
【００４３】
パーマネント用ゴム収納部に収納する輪ゴムの数は特に限定されるものではないが、５０本程度が好ましい。パーマネント用ゴム収容部は支持板に１個だけ設けてもよいが、２個や３個設けて一連、二連、三連等何れを設けても構わない。また、大きさは使用する輪ゴムに合わせて複数種類使い分けることもできる。
【００４４】
ゴム掛け具の材質や支持板は、請求項６に記載のものと同様なので説明を省略する。
【００４５】
請求項８に記載のパーマネント用エプロンは、請求項２乃至７のうちいずれか１項に記載のパーマネント用エプロンであって、前記パーマネント用ペーパー収容部が、（ａ）パーマネント用ペーパーを収納する箱体と、（ｂ）前記箱体を脱着自在に支持する箱体ケースとからなり、前記箱体は、底面の一端を開口させ、一側面の下方を開口させるとともに、前記エプロン面若しくは前記基台面と反対側の前面の下方一部を開口させてペーパー取出し口とし、前記底面の内壁にペーパー押えを備えた構成を有している。
この構成により、請求項２乃至７のうちいずれか１項で得られる作用に加えて、以下の様な作用が得られる。
（１）施術者は顧客の方向を向き立ったままの姿勢で、箱体の中に収納したペーパーを取り出すことが可能となる。
（２）ペーパーが重なって取り出されることがなく、一枚一枚簡単に取り出すことができる。
（３）底面の内壁にペーパー押えを取り付けたので、ペーパーをエプロン方向に押さえ込んで、ペーパーのばらつきを防止することができる。
（４）大量のペーパーを箱体内に収納しても、ペーパーがバラバラになることがなく、整然と収納することができるので、巻き付け作業性を向上させることができる。
（５）開口させた側面において、開口されていない部分が、ペーパーを取り出す際の押えとなり、ペーパーが二枚以上重なって取り出されないようにすることができる。
【００４６】
箱体の材質は、軽量であれば、紙、樹脂等を用いることができる。
ペーパー押えの形状はＬ字形，Ｖ字形等に形成されるのが好ましく、大きさについてもペーパーが一枚ずつ取り出すことができれば、特に限定されるものではない。材質は、ペーパーを押え込むのに最適な弾性と高度を有するものであれば良い。
ペーパー押えは、ペーパーを取り出し易くするため、ペーパー取り出し口から離れた位置に取り付けるのが望ましい。
【００４７】
請求項９に記載のパーマネント用エプロンは、請求項８に記載のパーマネント用エプロンであって、前記箱体の前記前面の開口部と、前記側面の開口部が弧状に切り込まれた構成を有している。
この構成により、請求項８で得られる作用に加えて、以下の様な作用が得られる。
（１）ペーパーを取り出す際、ペーパーが箱体のペーパー取り出し口の開口部に接触しても、ペーパーが損傷したり、破れたりするのを防止することができる。
（２）ペーパー取り出し口に切り込み部分が弧状の形状をなすので、開口部は小さいが、ペーパー取り出し口は、ペーパーを取り出すのに最適な大きさとなり、しかも、ペーパーが重なって出てくるのを回避することができる。
（３）ペーパーが箱体から簡単に取り出すことができるので、頭髪の束をパーマネント用ロッドに巻き付けながら、同時にペーパーをロッドに巻き付けるという熟練を要する作業を簡易化することができる。
【００４８】
請求項１０に記載のパーマネント用エプロンは、請求項８または９に記載のパーマネント用エプロンであって、前記箱体の上面の内壁にペーパー押えを備えた構成を有している。
この構成により、請求項８または９で得られる作用に加えて、以下の様な作用が得られる。
（１）ペーパーが箱体の上方へ上がり、ばらついてしまうのを防止し、ペーパーを下方へ押え込み、ペーパーを取り出し易くすることができる。
（２）ペーパーを取り出した後、他のペーパーが動いて乱れるのをペーパー押えにより防ぐことができる。
【００４９】
請求項１１に記載のパーマネント用エプロンは、請求項８乃至１０のうちいずれか１項に記載のパーマネント用エプロンであって、前記箱体ケースが、（ａ）前記箱体を上下方向から支持するＬ字形の上ケース・下ケースと、（ｂ）前記上ケース・下ケースを前記エプロン若しくは前記基台面に固定又は着脱自在に係止する支持板と、（ｃ）前記支持板に取付けた箱体押えと、を備えた構成を有している。
この構成により、請求項８乃至１０のうちいずれか１項で得られる作用に加えて、以下の様な作用が得られる。
（１）箱体が箱体ケースから脱着自在となり、ペーパーを箱体に出し入れする際、箱体を箱体ケースから取り出してペーパーを収納することができ、極めて便利となる。
【００５０】
箱体ケースの材質は、箱体を上下方向から上ケースと下ケースによって固定させるので、合成樹脂やゴム等の材質が好ましい。
箱体押えの形状は、円柱，四角柱，三角柱等にすることが可能で、大きさは、箱体を押え込み固定することができれば、特に限定されるものではない。
【００５１】
請求項１２に記載のパーマネント用エプロンは、請求項１乃至１１のうちいずれか１項に記載のパーマネント用エプロンであって、パーマネント用小物を収納する袋状の小物収納部及び／又はパーマネント液を含有させた容器を収納する袋状のパーマネント液収納部を備えた構成を有している。
この構成により、請求項１乃至１１のうちいずれか１項で得られる作用に加えて、以下の様な作用が得られる。
（１）頭髪の束をパーマネント用ロッドに巻き付ける作業に必要な小物や、パーマネント液を、施術中、常時所持し、適宜取り出して使用することができる。
（２）移動式ワゴン上に手を伸ばしたり、店内に設置したテーブル等までパーマネント部材を取りに行く必要がなくなり、施術作業の効率化を図ることができる。
【００５２】
パーマネント液収納部は、パーマネント用エプロンに配設しても配設しなくても構わないが、施術作業性を向上させるために、施術者の利き手側の側面部下方に配設するのが好ましい。形状については、特に限定されるものではないが、円筒形の袋状であれば、パーマネント液を入れた容器をそのまま、収納することができ好ましい。
パーマネント液収納部には、パーマネント液を入れた容器を収納してもよいし、パーマネント液用スポイド等を収納しても構わない。
【００５３】
請求項１３に記載のパーマネント用エプロンは、請求項１及び３乃至１２のうちいずれか１項に記載のパーマネント用エプロンであって、前記パーマネント用エプロンが複数の前記アタッチメント係止手段と、複数の前記アタッチメントとを備えた構成を有している。
この構成により、請求項１及び３乃至１２のうちいずれか１項で得られる作用に加えて、以下の様な作用が得られる。
（１）パーマネント施術用具以外にもカットやブローなどに使用する理美容器具を収容できるので、同時に複数の顧客に対して異なるサービスを提供できる。
（２）パーマネント施術作業時にはパーマネント部材用アタッチメントを使用し、カットやブローの作業に移行する場合はパーマネント部材用アタッチメントを取り外して道具用アタッチメントを使用することで、パーマネント被施術者とは別にカットやブローを待つ顧客への対応が可能となる。
（３）ロッドと輪ゴムとペーパーとアイロンとを携帯できるので、頭頂部と後頭部にウェーブパーマを施術しながら前頭部と側頭部にはストレートパーマを施術するなど、複雑なパーマネント施術にも対応することができる。
【００５４】
請求項１４に記載のパーマネント用エプロンは、請求項１及び３乃至１３のうちいずれか１項に記載のパーマネント用エプロンであって、前記アタッチメント係止手段が、前記エプロン側または前記アタッチメント側のどちらか一方に被掛止部材を備え、他方に前記被掛止部材に掛止する掛止部材を備えた構成を有している。
この構成により、請求項１及び３乃至１３のうちいずれか１項で得られる作用に加えて、以下の様な作用が得られる。
（１）被掛止部に掛止部材を掛けるという簡単な動作でパーマネント用エプロンとアタッチメントを掛止でき、アタッチメントの着脱及び交換が著しく容易で、作業性を高めることができる。
（２）パーマネント被施術者に施術する場合はパーマネント部材を収納したアタッチメントを使用し、カットやブローを待つ他の顧客に対応する場合は、カット若しくはブロー用の器具が収納されたアタッチメントに瞬時かつ容易に取り換えることができる。
【００５５】
掛止部材や被掛止部材の材質には金属や硬質のプラスチックを使用することができるが、鉄やステンレス、銅、アルミニウム合金等の金属が好適に用いられる。
掛止部材はフック状やクリップ状に形成され、被掛止部材は掛止部材を掛止できればよく、棒状や平板状等に形成される。
フック状の掛止部材は、金属板をＪ字状に折り曲げた形状が好適に用いられる。クリップ状の掛止部材は、針金を曲げ加工によって凹字状に形成するのが良い。
被掛止部材の形状は、フック状やクリップ状の掛止部材が掛止される部位を凸状に膨らませる形状が好適に用いられる。これによってフック状又はクリップ状の掛止部材の先が被係止部に掛かり易くなり、作業性を向上させることができる。
【００５６】
請求項１５に記載のパーマネント用エプロンは、請求項１及び３乃至１４のうちいずれか１項に記載のパーマネント用エプロンであって、前記アタッチメント係止手段が面ファスナーで形成されている構成を有している。
この構成により、請求項１及び３乃至１４のうちいずれか１項で得られる作用に加えて、以下の様な作用が得られる。
（１）面ファスナーを用いることで製造が容易かつ安価になる。
（２）面ファスナーを用いるので、アタッチメントとエプロンとの密着性が良く、操作性に優れ、かつ容易に着脱及び交換ができる。
【００５７】
アタッチメントとエプロンとを面ファスナーによって着脱可能にすると、アタッチメントの遊びが全くなく、アタッチメントとエプロンとの密着性に優れ、施術作業性を向上させることができる。また、製造が容易となる。
【００５８】
請求項１６に記載のパーマネント用エプロンは、請求項１乃至１５のうちいずれか１項に記載のパーマネント用エプロンであって、前記エプロンの上端に係止部材を備えた構成を有している。
この構成により、請求項１乃至１５のうちいずれか１項で得られる作用に加えて、以下の様な作用が得られる。
（１）エプロンに直接ベルトを縫設する必要が無いので安価に製造することができる。
（２）係止部材により様々なベルトに固定可能で、各作業者が身につけているベルトにそれぞれ固定することができ、パーマネント施術作業の交代や他サービスへの作業以降及び他サービスからのパーマネント施術への作業移行が著しく容易にできる。
【００５９】
係止部材は金属や硬質のプラスチック等からなるフック状又はクリップ状等に形成され、ベルトや紐等に係止部材を介してパーマネント用エプロンを係止する。
【００６０】
請求項１７に記載のパーマネント用エプロンは、請求項１乃至１６のうちいずれか１項に記載のパーマネント用エプロンであって、ベルトと前記エプロンとを面ファスナー及び／又は係止部材によって着脱自在に係止した構成を有している。
この構成により、請求項１乃至１６のうちいずれか１項で得られる作用に加えて、以下の様な作用が得られる。
（１）ベルトとエプロンとを面ファスナー及び／又は係止部材によって著しく容易に係止出来るので面ファスナーを備えたベルトをパーマネント施術担当中に腰部へつけておけば、カットやブロー等の施術と同時進行でパーマネント施術作業を実施する必要がある場合に、パーマネント施術に入るときにのみエプロンを、面ファスナーを備えたベルトに係止させて、カットやブローに移る際にはエプロンを外すことが容易かつ迅速にできる様になる。
（２）着脱が容易で、複数の従業員に係止部材を備えたベルトを身につけさせていれば、施術担当者以外の従業員にパーマネント用エプロンを手渡して施術担当をすぐに交代することができる。
【００６１】
前述の係止部材の他、エプロンとベルトとにスナップを使用して係止したり、ベルト若しくはエプロンの上端のどちらか一方にフックを設け、他方にフック掛け部を設けることで、ベルトとエプロンの着脱が著しく容易になる。また面ファスナーと係止部材を組み合わせることで、容易かつ迅速に、ベルトとエプロンとを著しく優れた密着性で固定することができる。
【考案の効果】
【００６２】
以上の様に構成されたパーマネント用エプロンによれば、以下の様な効果が得られる。
請求項１に記載の考案によれば、以下の様な効果を有する。
（１）複数のロッド収容部により、ロッドを種類毎に小分けして機能的に収容でき、かつロッド以外にもダカールやシングルピン、カーラー等もロッド収容部に収容できるので、パーマネント施術用の道具を全て収容可能で収容性や機能性に優れたパーマネント用エプロンを提供することができる。
（２）ロッド、ダカール、シングルピン、カーラー等が機能的に収容できるので、必要なものを瞬時に取り出しやすく、施術作業性を向上させるパーマネント用エプロンを提供することができる。
（３）アタッチメントが一部に開口部を有する筒状に形成されているので、ドライヤー若しくはアイロン又は１乃至複数本のハサミやクシなどの理美容道具類やパーマネント容器等を収容可能で収容性に優れたパーマネント用エプロンを提供することができる。
（４）アタッチメントが着脱自在な係止手段を用いて係止されているので、例えばパーマネント容器を収容したアタッチメントからカット及びブロー器具などの理美容道具を収容したアタッチメントへの交換が簡単な操作で可能となる。これによって、パーマネント以外のサービスを待つ顧客への対応を、アタッチメントを交換するだけで瞬時に可能で、機能性・施術作業性に優れたパーマネント用エプロンを提供することができる。
（５）パーマネント施術者は、頭髪の束をパーマネント用ロッドに巻き付ける作業を前向きの姿勢で集中して行うことができ、前かがみの無理な姿勢を長時間取ることによる疲労を回避可能で使用感に優れるパーマネント用エプロンを提供することができる。
（６）ロッド等や道具類の取り換え、取り外し時間を省き施術時間が短縮され、顧客の負担を軽減するパーマネント用エプロンを提供することができる。
【００６３】
請求項２に記載の考案によれば、請求項１の効果に加え、以下の様な効果を有する。
（１）エプロンにゴム収納部とペーパー収納部とロッド収納部を配設したので、パーマネントウェーブを施術する際に必要不可欠な、ロッド、輪ゴム、ペーパーを、パーマネント用エプロンを着用するという動作のみでコンパクトに所持することができ、パーマネントウェーブの施術作業効率を向上させ、施術時間の短縮を図ることが可能なパーマネント用エプロンを提供することができる。
（２）複数のロッド収容部を備えることができるので、ロッドを種類毎に小分けして機能的に収容でき、かつロッド以外にもダカールやシングルピン、カーラー等も収容できるので、パーマネント部材を本発明のエプロンに全て収容可能で収容性及び機能性に優れたパーマネント用エプロンを提供することができる。
（３）ロッド，ダカール，シングルピン，カーラー等のパーマネント部材が機能的に収容されているので、必要なものを瞬時に取り出しやすく、施術作業性を向上させるパーマネント用エプロンを提供することができる。
（４）パーマネント施術者は、頭髪の束をパーマネント用ロッドに巻き付ける作業を前向きの姿勢で集中して行うことができ、ワゴン上のパーマネント部材を手に取る際の前かがみの無理な姿勢を長時間取ることによる疲労を回避することができるので、使用感に優れたパーマネント用エプロンを提供することができる。
（５）顧客の後方位置で施術作業中、パーマネント施術者は、パーマネント施術に必要なロッド、輪ゴム、ペーパー等のパーマネント部材を移動式ワゴン上まで何度も手を伸ばして取ったり、あるいは店内の隅にあるテーブルまで何度も移動する必要がなくなり、作業性を向上させるパーマネント用エプロンを提供することができる。
（６）パーマネント部材をすぐに手に取ることができるので施術時間が短縮され、顧客の負担を軽減するパーマネント用エプロンを提供することができる。
（７）移動式ワゴンを施術者の利き手側に設置する必要がなくなり、店内のスペースの有効利用を図ることができるとともに、施術者やお客が通路等を移動する際に、移動式ワゴンに接触したり、移動式ワゴンにつまずいて怪我をするのを未然に防止するパーマネント用エプロンを提供することができる。
（８）パーマネント用ゴム収容部が少なくとも２以上のゴム掛止部材を備えた構成を有しているので、輪ゴムを輪状に収容することができ、輪ゴムがばらついたり、取出し難く収容されることが無く、収容時の安定性に優れるとともに輪ゴムの取出しが容易で施術作業性が向上するパーマネント用エプロンを提供することができる。
（９）パーマネント用ペーパー収容部が箱体に形成されているので、ペーパーがばらつくことがなく、安定的に収容されるので、ペーパーの収容性及び取出し容易性に優れたパーマネント用エプロンを提供することができる。
【００６４】
請求項３に記載の考案によれば、請求項１の効果に加え、以下の様な効果を有する。
（１）アタッチメントにパーマネント用ゴム収容部とパーマネント用ペーパー収容部を配設することによって、ロッド以外にパーマネント部材を一式パーマネント用エプロンに揃えることができるので、パーマネント施術作業性が格段に向上するパーマネント用エプロンを提供することができる。
（２）パーマネント用ゴム収容部やパーマネント用ペーパー収容部を着脱自在に配設することができるので、輪ゴムやペーパーの補填や交換等の作業が簡単にできて作業性を向上させるパーマネント用エプロンを提供することができる。
【００６５】
請求項４に記載の考案によれば、請求項２及び３のうちいずれか１項の効果に加え、以下の様な効果を有する。
（１）対向するゴム掛止部材がゴム収容基部に拡狭自在に配設されているので、各々のゴム掛止部材同士の間隔を拡げたり狭めたりして様々な径の輪ゴムを係止することができるので、汎用性に優れるパーマネント用エプロンを提供することができる。
【００６６】
請求項５に記載の考案によれば、請求項２乃至４のうちいずれか１項の効果に加え、以下の様な効果を有する。
（１）ゴム掛止部材の先端が傾斜した抜け防止部を備えているので、輪ゴムを収容した際に先端の傾斜によって輪ゴムが引っ掛かり、ゴム掛止部材から輪ゴムが脱落するのを防止可能で作業の確実性を向上させ、作業性を向上することのできるパーマネント用エプロンを提供することができる。
（２）ゴム掛止部材の先端に凸部が形成された抜け防止部を備えているので、輪ゴムを収容した際にゴム掛止部材先端の凸部によって輪ゴムが引っ掛かり、ゴム掛止部材からの脱落を防止可能で作業の確実性を向上させ、作業性を向上することのできるパーマネント用エプロンを提供することができる。
【００６７】
請求項６に記載の考案によれば、請求項２乃至５のうちいずれか１項の効果に加え、以下の様な効果を有する。
（１）ゴム掛け部が簡易な構造を有するので、製作が容易なパーマネント用エプロンを提供することができる。
（２）輪ゴムを容易にゴム掛け具に掛けて収容することができ、また輪ゴムの取出しが容易で、施術作業性が向上するパーマネント用エプロンを提供することができる。
【００６８】
請求項７に記載の考案によれば、請求項２乃至６のうちいずれか１項の効果に加え、以下の様な効果を有する。
（１）輪ゴムを一本一本片手で容易に取り出すことが可能となり、よって、大量のロッドに頭髪の束を巻き付ける作業において、作業の迅速性、確実性に極めて優れるパーマネント用エプロンを提供することができる。
（２）頭髪をロッドに巻き付けたのち、頭髪の束がゆるみ乱れる前に素早く輪ゴムを取出してロッドに掛けることができるので、均一なパーマネントウェーブを形成可能なパーマネント用エプロンを提供することができる。
（３）突出部がエプロン面若しくは基台面に対して傾斜した角度で並設されているので、輪ゴムはしっかりとゴム収納部に固定され、パーマネント施術者がエプロンを着用しても、輪ゴムがゴム掛け具から脱落することを防止して作業の確実性を向上させるパーマネント用エプロンを提供することができる。
（４）エプロン面から所定間隔離した位置に、突出部がエプロン面と略水平方向に並設されているので、輪ゴムがエプロン面に接することなく掛けられ、輪ゴムを一本一本容易に取り出せて取出し容易性に優れ、作業性を向上させるパーマネント用エプロンを提供することができる。
（５）エプロン若しくは基台へ固定する為の指示板を取り付けたので、ゴム掛け具をエプロン若しくは基台に固定することができ、安定性を保つことが可能なパーマネント用エプロンを提供することができる。
【００６９】
請求項８に記載の考案によれば、請求項２乃至７のうちいずれか１項の効果に加え、以下の様な効果を有する。
（１）施術者は顧客の方向を向き立ったままの姿勢で、箱体の中に収納したペーパーを取り出すことが可能で作業性を向上させるパーマネント用エプロンを提供することができる。
（２）ペーパーが重なって取り出されることがなく、一枚一枚簡単に取り出せて作業性が向上するパーマネント用エプロンを提供することができる。
（３）底面の内壁にペーパー押えを取り付けたので、ペーパーをエプロン方向に押さえ込んで、ペーパーのばらつきを防止し作業の確実性を高め、作業性を向上させるパーマネント用エプロンを提供することができる。
（４）大量のペーパーを箱体内に収納しても、ペーパーがバラバラになることがなく、整然と収納することができるので、巻き付け作業性を向上させるパーマネント用エプロンを提供することができる。
（５）開口させた側面において、開口されていない部分がペーパーを取り出す際の押えとなり、ペーパーが二枚以上重なって取り出されず作業の確実性を高め、作業性が向上するパーマネント用エプロンを提供することができる。
【００７０】
請求項９に記載の考案によれば、請求項８の効果に加え、以下の様な効果を有する。
（１）ペーパーを取り出す際、ペーパーが箱体のペーパー取り出し口の開口部に接触しても、ペーパーが損傷したり、破れたりするのを防止するので作業の確実性に優れるパーマネント用エプロンを提供することができる。
（２）ペーパー取り出し口に切り込み部分が弧状の形状をなすので、開口部は小さいが、ペーパー取り出し口は、ペーパーを取り出すのに最適な大きさとなり、しかも、ペーパーが重なって出てくるのを回避し、作業の確実性やペーパーの取出し容易性に優れるパーマネント用エプロンを提供することができる。
（３）ペーパーが箱体から簡単に取り出すことができるので、頭髪の束をパーマネント用ロッドに巻き付けながら、同時にペーパーをロッドに巻き付けるという熟練を要する作業を簡易化するパーマネント用エプロンを提供することができる。
【００７１】
請求項１０に記載の考案によれば、請求項８または９の効果に加え、以下の様な効果を有する。
（１）パーマネント用ペーパーが箱体の上方へ上がり、ばらついてしまうのを防止し、ペーパーを下方へ押え込み、ペーパーが取り出し易いので作業性を著しく向上する事のできるパーマネント用エプロンを提供することができる。
（２）ペーパーを取り出した後、他のペーパーが動いて乱れるのを防ぐのでペーパーの乱れを気にすることなくペーパーを取り出すことができ、作業性が向上するパーマネント用エプロンを提供することができる。
【００７２】
請求項１１に記載の考案によれば、請求項８乃至１０のうちいずれか１項の効果に加え、以下の様な効果を有する。
（１）箱体が箱体ケースから脱着自在となり、パーマネント用ペーパーを箱体に出し入れする際、箱体を箱体ケースから取り出してペーパーを収納することができ、極めて便利なパーマネント用エプロンを提供することができる。
【００７３】
請求項１２に記載の考案によれば、請求項１乃至１１のうちいずれか１項の効果に加え、以下の様な効果を有する。
（１）頭髪の束をパーマネント用ロッドに巻き付ける作業に必要な小物や、パーマネント液を、施術中、常時所持し、適宜取り出して使用することが可能で作業性を向上させるパーマネント用エプロンを提供することができる。
（２）移動式ワゴン上に手を伸ばしたり、店内に設置したテーブル等までパーマネント部材を取りに行く必要がなくなり、施術作業の効率化を図ることが可能なパーマネント用エプロンを提供することができる。
【００７４】
請求項１３に記載の考案によれば、請求項１及び３乃至１２のうちいずれか１項の効果に加え、以下の様な効果を有する。
（１）パーマネント施術用具以外にもカットやブローなどに使用する理美容器具を収容できるので、同時に複数の顧客に対して異なるサービスを提供可能で汎用性に優れるパーマネント用エプロンを提供することができる。
（２）パーマネント施術作業時にはパーマネント部材用アタッチメントを使用し、カットやブローの作業に移行する場合はパーマネント部材用アタッチメントを取り外して道具用アタッチメントを使用することで、パーマネント被施術者とは別にカットやブローを待つ顧客への対応が可能で汎用性に優れるパーマネント用エプロンを提供することができる。
（３）ロッドと輪ゴムとペーパーとアイロンを携帯できるので、頭頂部と後頭部にウェーブパーマを施術しながら前頭部と側頭部にはストレートパーマを施術するなど、複雑なパーマネント施術にも対応可能で汎用性に優れるパーマネント用エプロンを提供することができる。
【００７５】
請求項１４に記載の考案によれば、請求項１及び３乃至１３のうちいずれか１項の効果に加え、以下の様な効果を有する。
（１）被掛止部材に掛止部を掛けるという簡単な動作でパーマネント用エプロンとアタッチメントを掛止でき、アタッチメントの着脱及び交換が著しく容易で、作業性が向上するパーマネント用エプロンを提供することができる。
（２）パーマネント被施術者に施術する場合はパーマネント部材を収納したアタッチメントを使用し、カットやブローを待つ他の顧客に対応する場合は、カット又はブロー用の器具が収納されたアタッチメントに瞬時かつ容易に取り換えられ、作業性に優れるパーマネント用エプロンを提供することができる。
【００７６】
請求項１５に記載の発明によれば、請求項１及び３乃至１４のうちいずれか１項の効果に加え、以下の様な効果を有する。
（１）面ファスナーを用いることで容易かつ安価に製造可能なパーマネント用エプロンを提供することができる。
（２）面ファスナーを用いるので、アタッチメントとエプロンとの密着性が良く、操作性に優れ、かつ容易に着脱及び交換が可能なパーマネント用エプロンを提供することができる。
【００７７】
請求項１６に記載の発明によれば、請求項１及び３乃至１５のうちいずれか１項の効果に加え、以下の様な効果を有する。
（１）エプロンに直接ベルトを縫設する必要が無いので安価に製造可能なパーマネント用エプロンを提供することができる。
（２）様々なベルトに固定可能なので、各作業者が身につけているベルトにそれぞれ固定することができ、パーマネント施術作業の交代や他サービスへの作業以降及び他サービスからのパーマネント施術へ著しく容易に作業移行可能なパーマネント用エプロンを提供することができる。
【００７８】
請求項１７に記載の発明によれば、請求項１乃至１６のうちいずれか１項の効果に加え、以下の様な効果を有する。
（１）ベルトとエプロンとを面ファスナー及び／又は係止部材によって著しく容易に係止出来るので面ファスナーを備えたベルトをパーマネント施術担当中に腰部へつけておけば、カットやブロー等の施術と同時進行でパーマネント施術作業を実施する必要がある場合に、パーマネント施術に入るときにのみエプロンを面ファスナーを備えたベルトに係止させて、カットやブローに移る際にエプロンを容易かつ迅速に外せるので、汎用性に優れ、また作業性を向上することのできるパーマネント用エプロンを提供することができる。
（２）着脱が容易で、複数の従業員に係止部材を備えたベルトを身につけさせていれば、施術担当者以外の従業員にパーマネント用エプロンを手渡して施術担当をすぐに交代することが可能なパーマネント用エプロンを提供することができる。
【図面の簡単な説明】
【００７９】
【図１】実施の形態１のパーマネント用エプロンにおけるアタッチメントを外した状態のエプロンの斜視図
【図２】実施の形態１のパーマネント用エプロンにおけるエプロンとベルトとの係止手段を表すエプロンの背面側斜視図
【図３】実施の形態１のパーマネント用エプロンにおけるアイロン若しくはドライヤーを収納する道具用アタッチメントの斜視図
【図４】実施の形態１のパーマネント用エプロンにおけるパーマネント用ゴム及びパーマネント用ペーパーを収納するパーマネント部材用アタッチメントの斜視図
【図５】実施の形態１のパーマネント用エプロンにおけるハサミを収納する道具用アタッチメントの斜視図
【図６】実施の形態１のパーマネント用エプロンにおけるパーマネント部材用アタッチメントを備えたパーマネント用エプロンの斜視図
【図７】実施の形態２のパーマネント用エプロンにおけるパーマネント用エプロンの斜視図
【図８】実施の形態２のパーマネント用エプロンにおけるパーマネント用ゴム収容部の斜視図
【図９】実施の形態２のパーマネント用エプロンにおけるパーマネント用ゴム収容部の平面図
【図１０】実施の形態２のパーマネント用エプロンにおけるパーマネント用ゴム収容部の正面図
【図１１】実施の形態２のパーマネント用エプロンにおける箱体の斜視図
【図１２】実施の形態２のパーマネント用エプロンにおける箱体の左側面図
【図１３】実施の形態２のパーマネント用エプロンにおける箱体の底面図
【図１４】図１１のＢ−Ｂ線の断面図
【図１５】実施の形態２のパーマネント用エプロンにおける箱体ケースの断面図
【図１６】図７のＡ−Ａ線の断面図
【考案を実施するための形態】
【００８０】
以下本考案のパーマネント用エプロンを実施の形態によって具体的に説明する。なお、本考案のパーマネント用エプロンは以下の実施の形態に限定されるものではない。
【００８１】
（実施の形態１）
本考案の実施の形態１におけるパーマネント用エプロンについて、以下図面を参照しながら説明する。
図１はアタッチメントを外した状態のエプロンの斜視図であり、図２はエプロンとベルトとの係止手段を表すエプロンの背面側斜視図であり、図３はアイロン若しくはドライヤーを収納する道具用アタッチメントの斜視図であり、図４はパーマネント用ゴム及びパーマネント用ペーパーを収納するパーマネント部材用アタッチメントの斜視図であり、図５はハサミを収納する道具用アタッチメントの斜視図であり、図６はパーマネント部材用アタッチメントを備えたパーマネント用エプロンの斜視図である。
【００８２】
図１及び図２において、１は横袋状のパーマネント用エプロン２６のエプロン、２はエプロン１に切り込み式で内側が袋状に形成されパーマネント用ロッドを収容するロッド収容部、３はエプロン表面１ａに形設されアタッチメントを取り付ける被掛止部材、４はエプロン１の側部に設けられたタオルや網地等を収容するタオル等収容部のタオル等収容口、５はエプロン１の裏面１ｂの上端に接着された面ファスナー、６はエプロン１の面ファスナー５に合着されたベルト、７はベルト６の表側に接着された面ファスナー、８はベルト６へ係止してエプロン１の脱落を防止するためにエプロン１の裏面１ｂの上端にクリップ状に形設された係止部材である。
エプロン１にはナイロンやポリエステル、天然繊維製等の生地、帆布、ニット、合成樹脂製シート等を使用し、左右にマチを有する横長の袋状に形成して内部にタオル等収容部を設け、左側面に切り込みを入れてタオル等収容口４を設けた。袋状ロッド収容部２にはナイロンやポリエステル、天然繊維等の生地、帆布、ニット、合成樹脂製シートや塩化ビニール製やポリオレフィン製等の合成樹脂製の袋を使用してエプロン１に切り込み式のポケットを形成し、切り込み部分周辺を縫い込んで仕上げた。
アタッチメント係止手段であるフック掛け部３は板状の金属板製で中央部分を凸状に曲げ加工して掛止部挿着部３ａを形成し、袋状エプロン１の表面側に凸状の掛止部挿着部３ａが突出する様に両端をエプロン１に固着してある。エプロン裏面１ｂの上端には面ファスナー５が接着され、ベルト６の表面には面ファスナー７が接着され、お互いを着脱自在に係止している。係止部材８は金属線等からなり、エプロン１の面ファスナー５の上からエプロン１上端に縫設されている。
【００８３】
図３において、９はアイロンやドライヤーを収容する為の道具用アタッチメント、１０は道具用アタッチメント９のアイロンやドライヤー等の収容部、１１は被掛止部材３に掛止される掛止部材である。
道具用アタッチメント９は硬質の皮革等で形成され、金属板等をＪ型に形成して被掛止部材３に挿着して掛止可能な掛止部材１１が固設されている。
【００８４】
図４において、１２はパーマネント部材用アタッチメント、１３はパーマネント部材用アタッチメント１２のパーマネント部材用アタッチメント基台、１４は先端に逆Ｌ字状の抜け防止部１４ａが形成されパーマネント部材用アタッチメント基台１３に各々対向して抜け防止部１４ａ同士が逆向きになるように固設された輪ゴムを掛止するゴム掛止部材、１５はゴム掛止部材１４で形成されるパーマネント用ゴム収容部、１６はパーマネント用ゴム収容部１５に掛止された輪ゴム、１７はパーマネント用ペーパーを収容するためのパーマネント用ペーパー収容部、１８はパーマネント用ペーパー収容部１７に設けられたペーパー取出し口、１９はパーマネント用ペーパー収容部１７に設けられた束状のペーパー２０を供給するペーパー供給口、２０はパーマネント用ペーパー収容部１７に収納されたパーマネント用ペーパーである。
【００８５】
パーマネント部材用アタッチメント基台１３にはポリスチロール樹脂やポリエチレン樹脂等の合成樹脂製やアルミニウムやステンレス等の金属製等の１〜３ｍｍ厚程度の板を使用した。ゴム掛止部材１４の先端は折り曲げられ抜け防止部１４ａが形成され、後端には雄螺子を形成してあり、パーマネント部材用アタッチメント１２のパーマネント部材用アタッチメント基台１３の表側から裏側へかけてこの雄螺子を貫通させ、図示しないナットによって締め付けて固定されている。更にパーマネント部材用アタッチメント基台１３にはパーマネント用ペーパー収容部１７を接合する場所に面ファスナーが接着されている。また、パーマネント部材用アタッチメント基台１３の裏側には掛止部材１１が固設されている。パーマネント用ペーパー収容部１７は上側側面に切り込みを入れてペーパー供給口１９を設け、前面に大きな切り込みを入れてペーパー取出し口１８とした。このパーマネント用ペーパー収容部１７のペーパー取出し口１８と反対の面には面ファスナーを接着してあり、パーマネント部材用アタッチメント基台１３の面ファスナーへ容易に着脱自在に係止できる。この様にして構成されたパーマネント用ペーパー収容部１７にペーパー２０を収納し、パーマネント部材用アタッチメント基台１３の雄側面ファスナーに張り付けてパーマネント部材用アタッチメント１２とした。
【００８６】
図５において２１はハサミを収容するための道具用アタッチメント、２２は合成樹脂製のシートや板材，革等で作成された道具用アタッチメント２１の道具用アタッチメント基台、２３は道具用アタッチメント基台２２に形設されたハサミ収容部、２４はハサミ収容部２３のハサミ収容口、２５はハサミ収容部２３に収納されたハサミである。
道具用アタッチメント２１の道具用アタッチメント基台２２には裏側に掛止部材１１が固設され、表側には厚手の塩化ビニールシート等の合成樹脂製シートや革，人工皮革等で形成されたハサミ収容部２３を接着してある。
【００８７】
図６において、２６はエプロン１にパーマネント部材用アタッチメントを掛止させ使用可能な状態に完成されたパーマネント用エプロンである。
道具用アタッチメント９及びパーマネント部材用アタッチメント１２並びに道具用アタッチメント２１の各アタッチメントは、掛止部材１１の先を、エプロン１の被掛止部材３の中央部に形成された掛止部材挿通部３ａとエプロン１との間の隙間に入れて、エプロン１と係止する。
尚、本実施の形態１では被掛止部材３を１つだけ形成したが、複数設けることもできる。これによって道具用アタッチメント９及びパーマネント部材用アタッチメント１２並びに道具用アタッチメント２１の各アタッチメントを複数エプロン１に係止して収容能力を向上させることができる。
【００８８】
次に、本実施の形態１のパーマネント用エプロンの製造方法を説明する。
袋状エプロン１の製造方法については、まずナイロン等の生地、帆布、ニット、合成樹脂製シート等を右側面にマチを有し、左側面が開口した横長の長方形型の袋に縫設して形成する。次いで開口したままの左側面へマチとして、縦に切り込みを入れて切り込み部周辺を編み込んでタオル収容口４を形成した生地を、縫設して袋状に形成した。その後、生地、帆布、ニット、合成樹脂製シートで上端が開口したロッド収容部２用の内袋を形成し、ロッド収容部２に相当する部位に切り込みを入れて内袋の開口部と切り込み部周辺とを縫い込んでロッド収容部２を形成した。このロッド収容部２を上下に並設して複数形成した後、金属板を、中央部を掛止部材１１が挿着される凸状の係止部挿通部３ａを形成して被掛止部材３を作成し、被係止部３両端の接着代をエプロン正面１ａ左側中央部に図示しない螺子とナット及びホットボンドで固着した。そして、エプロン１裏側１ｂ上端の左右方向の全長に渡って面ファスナー５を接着し、更にその面ファスナー５の上から左右に一つずつ係止部材８を縫設してエプロン１を製造する。
【００８９】
次に、道具用アタッチメント９の製造方法について説明する。
まず皮革や人工皮革、合成樹脂等を底面を有さない円錐形に形成して上下反転させ、上部に開口部を有するアイロン及びドライヤー収容部１０とし、側面に掛止部材１１を図示しない螺子とナット及びホットボンドで固着して道具用アタッチメント９とした。
【００９０】
次に、パーマネント部材用アタッチメント１２の製造方法について説明する。
まず、合成樹脂や金属の板材を基台１３とし、パーマネント部材用アタッチメント基台１３の裏側へ掛止部材１１を図示しない螺子とナット及びホットボンドで固着した。その後、鉄棒をカットし、この鉄棒の先端を曲げ加工しＬ字状にして抜け防止部１４ａを形成し、更に後端に図示しない雄螺子を形成してゴム掛止部材１４とした。さらにゴム掛止部材１４を計４本作成しパーマネント部材用アタッチメント基台１３の表側へ、各ゴム掛止部材１４の曲げ加工した先端部の抜け防止部１４ａが、パーマネント部材用アタッチメント基台１３の左右方向に開いて向く様に、パーマネント部材用アタッチメント基台１３の裏からゴム掛止部材１４の雄螺子に図示しないナットを螺合させて螺設する。ここで、各ゴム掛止部材１４は正方形の各頂点に位置する様に配置し、パーマネント用ゴム収容部１５とした。
更に、合成繊維，天然繊維，人工皮革，合成樹脂製シート等の生地を、マチ部に厚みを有するように袋状に形成し、上部のマチ部へ切り込みを入れて切り込み部周辺を縫い込んでペーパー供給口１９を形成し、さらに正面中央部にも切り込みを入れて切り込み部周辺を縫い込んでペーパー取出し口１８を形成して、裏面に面ファスナーを接着し、最後にパーマネント用ペーパー供給口１９からパーマネント用ペーパー２０を供給してパーマネント用ペーパー収容部１７とした。次に、パーマネント部材用アタッチメント基台１３の表側へ図示しない面ファスナーを接着し、ここへパーマネント用ペーパー収容部の裏側の面ファスナーを係止させてパーマネント部材用アタッチメント１２を製造した。
【００９１】
次に、道具用アタッチメント２１の製造方法について説明する。
まず、合成樹脂製若しくは金属製の板材を道具用アタッチメント基台２２とし、この道具用アタッチメント基台２２の裏側へ掛止部材１１を図示しない螺子とナット及びホットボンドで固着した。次に合成樹脂製シート，不織布，金属板，ゴム製シート等をハサミを収納できるように上端が開口した筒体に形成されるように道具用アタッチメント基台２２へ接着してハサミ収容部２４を形成し、道具用アタッチメント２１とした。
【００９２】
以上の様に製造された本実施の形態１のパーマネント用エプロンについて以下使用方法を説明する。
まずエプロン１のロッド収容部２へ複数種のロッドをロッド収容部２ごとに別々に収容する。次に係止部材８をベルト６にかけて更に面ファスナー５と面ファスナー７とを合着させてベルト６とエプロン１とを固定した後、ベルト６を腰に回して装備する。次に被掛止部材３の掛止部材挿通部３ａとエプロン１との隙間に各アタッチメントの掛止部材１１の先を入れてアタッチメントとエプロン１とを係止して使用できる状態となる。
各々のアタッチメントは、作業者の施術内容によって互いに交換可能で、例えばパーマネント施術中はパーマネント部材用アタッチメント１２を使用し、カットを待つ他の顧客に対応する場合はパーマネント部材用アタッチメント１２を道具用アタッチメント２１に交換し、更にブローを待つ他の顧客に対応する場合は道具用アタッチメント２１から道具用アタッチメント９へ交換することができるので、様々な施術に対応可能である。
この他にもアタッチメントとしてパーマネント液を収容するためのパーマネント液用アタッチメントや、ダカールを複数本収容するダカール用アタッチメント、ブラシ類やコーム類を収容するアタッチメント等も道具用アタッチメント９と同様にして作成される。また、エプロン表面１ａには被掛止部材３をいくつ設けても良いので、複数のアタッチメントを同時に装備することもできる。
ロッド収容部２はロッドのみを収容するのではなく、ダカールやクリップ、シングルピンやカーラー等も収容する事ができる。
更にタオル等収容口４にはタオル，網地，パーマネント施術用手袋等を入れておくことができる。
【００９３】
以上の様に構成された実施の形態１のパーマネント用エプロン２６によれば、以下の様な作用・効果が得られる。
（ａ）複数のロッド収容部２を備えることができるので、ロッドを種類毎に小分けして機能的に収容でき、かつロッド以外にもダカールやシングルピン、カーラー等もロッド収容部２に収容できるので、パーマネント施術用の道具を全て収容できる。
（ｂ）ロッド，ダカール，シングルピン，カーラー等が機能的に収容できるので、必要なものを瞬時に取り出しやすく、施術作業性に優れる。
（ｃ）道具用アタッチメント９，２１やパーマネント部材用アタッチメント１２が掛止部材１１や被掛止部材３により着脱自在に掛止されているので、例えばパーマネント部材用アタッチメント１２から道具用アタッチメント９，２１への交換が簡単な操作で可能となる。これによって、パーマネント以外のサービスを待つ顧客への対応を、各々のアタッチメントを交換するだけで瞬時に可能となる。
（ｄ）パーマネント施術者は、頭髪の束をロッドに巻き付ける作業を前向きの姿勢で集中して行うことができ、前かがみの無理な姿勢を長時間取ることによる疲労を回避することができる。
（ｅ）ロッド等や道具類の取り換え、取り外し時間を省き施術時間が短縮され、顧客の負担を軽減することができる。
（ｆ）パーマネント部材用アタッチメント１２にパーマネント用ゴム収容部１５とパーマネント用ペーパー収容部１７を配設することによって、ロッド以外にパーマネント部材を一式パーマネント用エプロン２６に揃えることができるので、パーマネント施術作業性が格段に向上する。
（ｇ）パーマネント用ゴム収容部１５やパーマネント用ペーパー収容部１７を着脱自在に配設することができるので、パーマネント用ゴム１６やパーマネント用ペーパー２０の補填や交換等の作業が簡単にできて作業性を向上させることができる。
（ｈ）道具用アタッチメント９，２１やパーマネント部材用アタッチメント１２とエプロン１とが掛止部材１１と被掛止部材３によって掛止されているので、被掛止部材３に掛止部材１１を掛けるという簡単な動作で掛止でき、各々のアタッチメントの着脱及び交換が著しく容易で、作業性を高めることができる。
（ｉ）ベルト６とエプロン１とを面ファスナー５，７と係止部材８によって著しく容易に係止出来るので面ファスナー７を備えたベルト６をパーマネント施術担当中に腰部へつけておけば、カットやブロー等の施術と同時進行でパーマネント施術作業を実施する必要がある場合に、パーマネント施術に入るときにのみエプロン１を面ファスナー７を備えたベルト６に係止させて、カットやブローに移る際にエプロン１を外すことが容易かつ迅速にできる様になる。
（ｊ）着脱が容易で、複数の従業員にエプロン１との係止手段である面ファスナー７を備えたベルトを身につけさせていれば、施術担当者以外の従業員にエプロン１を手渡して施術担当をすぐに交代することができる。
（ｋ）ゴム収容部１５のゴム掛止部材１４の先端に抜け防止部１４ａが形成されているので、輪ゴム１６の脱落を防止することができる。
【００９４】
（実施の形態２）
図７は実施の形態２におけるパーマネント用エプロンの斜視図であり、図８は実施の形態２におけるパーマネント用エプロンのゴム収納部の斜視図であり、図９は本発明の実施の形態２におけるパーマネント用エプロンのゴム収納部の平面図であり、図１０は本発明の実施の形態２におけるパーマネント用エプロンのゴム収納部の正面図であり、図１６は図７のＡ−Ａ線の断面図である。
【００９５】
図７において、４６はナイロンやポリエステル、天然繊維等の生地、帆布、合成樹脂製シート等のシート状のエプロン、２７は長さの異なる輪ゴムを各々輪状に上下に引っ掛けて収納するゴム掛け具からなる二連式ゴム収納部、２８はパーマネント用ペーパーを収納した箱体と箱体を支持する箱体ケースからなるパーマネント用ペーパー収納部、２９はパーマネント用ロッドを収納するロッド収納部、３０はパーマネント用小物を収納する小物収納部、３１はパーマネント液を入れた容器を収納する袋状のパーマネント液収納部、３２は基部３２ａで支持板３８に立設された輪ゴム１６を輪状に掛けて収納するゴム掛け具、４３はパーマネント液を入れた容器、４７は実施例２のパーマネント用エプロンである。
【００９６】
帯状エプロン４７には、合成繊維，天然繊維，半合成繊維等の生地，帆布，不織布や合成樹脂製シート等で横長の帯状に形成し、右下端部にパーマネント液収納部３１を形成した。帯状ロッド収容部２９はエプロン４７と同様の材質で形成した。ゴム掛け具３２は支持板３８により帯状エプロン４７に着脱自在に係止されている
【００９７】
図８乃至図１０において、３３はエプロン面に対して前方へ６０°〜７０°傾斜させて、左右対称に一定間隔離間して並設したゴム掛け具３２の輪ゴム脱落防止部、３４，３７はエプロン面に対し基部８ａを介して略水平に且つエプロン面から所定距離離して並設したゴム受部、３５，３２は輪ゴムを輪状に掛けて収納するゴム掛け具、３６は輪ゴム脱落防止部３３同様に左右対称に一定間隔離間して並設した輪ゴム脱落防止部、３８はゴム掛け具をエプロンに固定する支持板である。
【００９８】
二連式ゴム収容部２７のゴム掛け部３２と３５はポリオレフィンやポリカーボネート等の合成樹脂や金属或いは石膏等にて成型若しくは金属や木材の削りだしたものを使用し、支持板３８には１ｍｍ厚のアルミやステンレス等の金属板を使用した。
【００９９】
図１１は本発明の実施の形態２におけるパーマネント用エプロンの箱体の斜視図であり、図１２は本発明の実施の形態２におけるパーマネント用エプロンの箱体の左側面図であり、図１３は本発明の実施の形態２におけるパーマネント用エプロンの箱体の底面図であり、図１４は図１１のＢ−Ｂ線の断面図であり、図１５は本発明の実施の形態２におけるパーマネント用エプロンの箱体ケースの断面図である。
図１１乃至１５において、３９はパーマネント用ペーパー２０を弧状に曲げて収納させた紙や合成樹脂製の箱体、３９ａは箱体の底面、３９ｂは箱体の上面、３９ｃは箱体の左側面、３９ｄは箱体の前面、３９ｅは箱体の背面、３９ｆは箱体の右側下方に開口させたペーパー取り出し口、３９ｇは箱体の底面３９ａの内壁の下方に取り付けられパーマネント用ペーパー２０をエプロン面方向へ寄せて押え込むように纏める下側ペーパー押え、３９ｈは箱体の上面の内壁に取り付けパーマネント用ペーパー２０を下方に寄せて纏める上側ペーパー押え、４０は箱体をエプロンに脱着自在に収納させる、上ケース４０ａと下ケース４０ａとからなる箱体ケース、４０ａは箱体ケース４０の上ケース、４０ｂは箱体ケース４０の下ケース、４１は箱体ケースをエプロンに固定する箱体ケース支持板、４４は箱体をエプロン面方向から前面へ押え込み固定する箱体押え、２０は弧状に曲げて収納させる薄手のパーマネント用ペーパー（図１４）である。
【０１００】
パーマネント用ペーパー収容部２８の箱体３９と箱体ケース４０とペーパー押え４５とペーパー押え４６と箱体押え４７はポリプロピレン等の合成樹脂にて成型した。箱体ケース４０と帯状エプロン４７は接着剤によって固定され、箱体３９とペーパー押え４０とペーパー押え４５は互いに接着材によって固定されている。
【０１０１】
図１６において４２はエプロンをベルトに固定するフック状の係止部材、４５はフックをエプロンに固定させるピンである。
【０１０２】
係止部材４２とピン４５はステンレスを用いて作成した。また、係止部材４２はピン４５によって帯状エプロン４６に固定されている。小物収納部３０に収納する小物は特に制限はないが、ピン、カーラー、ハサミ、櫛、カール棒、トリミング機、トリミング刃、トリミング板等、パーマネントウェーブの形成に必要なものである。
【０１０３】
以上の様に構成された本実施の形態２のパーマネント用エプロン４７について以下使用方法を説明する。
まず帯状エプロン４６の帯状ロッド収容部２９へ複数種のロッドを帯状ロッド収容部２９ごとに別々に収容する。次に係止部材４２をベルトにかけてベルトと帯状エプロン４６とを固定しパーマネント用エプロン４７とした後、ベルトを腰に回して装備する。２連式ゴム収容部２７には大小それぞれ５０本ずつ輪ゴム１６を収納し、パーマネント用ペーパー収容部２８の箱体３９を箱体ケース４０から取出してパーマネント用ペーパー２０の束をペーパ取出し口３９ｆから供給し、再度箱体ケース４０に嵌合させる。そしてパーマネント液収納部３１にパーマネント液を入れた容器４３を差し込み、小物収納部にクリップやピン等の小物を入れて使用可能な状態になる。
ロッドや輪ゴムやペーパー、そしてパーマネント液やダカール、その他の小物等を収容することができるので、パーマネント施術に必要な道具を一式収納してパーマネント施術作業を行うことができ、またペーパーの交換や補填等の作業が楽で輪ゴムも落下し難く、ゴムの取り外しも確実かつ容易なのでパーマネント施術作業効率を向上させることができ、更に移動式ワゴンによる店内スペースの圧迫や顧客の接触の危険等を防ぐことができて安全なパーマネント施術作業を進めることができる。また、パーマネント施術作業性が向上するので顧客の負担を軽減する事もできる。
【０１０４】
以上の様に構成された実施の形態２のパーマネント用エプロン４７によれば、以下の様な作用・効果をえることができる。
（ａ）エプロン４６にゴム掛け具３２，３５とパーマネント用ペーパー収納部２８とロッド収納部２９を配設したので、パーマネントウェーブを施術する際に必要不可欠な、ロッド，輪ゴム，ペーパーを、パーマネント用エプロン４７を着用するという動作のみでコンパクトに所持することができ、パーマネントウェーブの施術作業効率を向上させ、施術時間の短縮を図ることが可能となる。
（ｂ）複数のロッド収容部２９を備えることができるので、ロッドを種類毎に小分けして機能的に収容でき、かつロッド以外にもダカールやシングルピン、カーラー等も収容できるので、パーマネント部材を本発明のエプロンに全て収容できる。
（ｃ）ロッド，ダカール，シングルピン，カーラー等のパーマネント部材が機能的に収容されているので、必要なものを瞬時に取り出しやすく、施術作業性に優れる。
（ｈ）パーマネント施術者は、頭髪の束をパーマネント用ロッドに巻き付ける作業を前向きの姿勢で集中して行うことができ、ワゴン上のパーマネント部材を手に取る際の前かがみの無理な姿勢を長時間取ることによる疲労を回避することができる。
（ｉ）顧客の後方位置で施術作業中、パーマネント施術者は、パーマネント施術に必要なロッド，輪ゴム，ペーパー等のパーマネント部材を移動式ワゴン上まで何度も手を伸ばして取ったり、あるいは店内の隅にあるテーブルまで何度も移動する必要がなくなり、作業性を向上させることができる。
（ｊ）パーマネント部材をすぐに手に取ることができるので施術時間が短縮され、顧客の負担を軽減することができる。
（ｋ）移動式ワゴンを施術者の利き手側に設置する必要がなくなり、店内のスペースの有効利用を図ることができるとともに、施術者やお客が通路等を移動する際に、移動式ワゴンに接触したり、移動式ワゴンにつまずいて怪我をするのを未然に防止することができる。
（ｌ）ゴム掛け具３２，３５がゴム脱落防止部３３，３６とゴム受部３４，３７を有しているので、パーマネント用ゴム１６を一本一本片手で容易に取り出すことが可能となり、よって、大量のロッドに頭髪の束を巻き付ける作業において、作業の迅速性、確実性に極めて優れる。
（ｍ）ゴム掛け具３２，３５において、ゴム脱落防止部３３，３６がエプロン４６面に対して傾斜した角度で並設されているので、パーマネント用ゴム１６はしっかりとゴム掛け具３２，３５に固定され、パーマネント施術者がエプロン４６を着用しても、パーマネント用ゴム１６がゴム掛け具３２，３３から脱落することを防止する。
（ｎ）ゴム掛け具３２，３５において、エプロン４６面から所定間隔離した位置に、ゴム受部３４，３７がエプロン４６面と略水平方向に並設されているので、パーマネント用ゴム１６がエプロン４６面に接することなく掛けられ、パーマネント用ゴム１６を一本一本容易に取り出すことができる。
（ｏ）エプロン４６へ固定する為の支持板３８を取り付けたので、ゴム掛け具３２，３５をエプロン４６に固定することができ、安定性を保つことができる。
（ｐ）パーマネント用ペーパー収容部２８において、施術者は顧客の方向を向き立ったままの姿勢で、箱体３９の中に収納したパーマネント用ペーパー２０を取り出すことが可能で、またパーマネント用ペーパー２０が重なって取り出されることがなく、一枚一枚簡単に取り出すことができ、更に箱体３９の底面３９ａの内壁に下側ペーパー押え３９ｇを取り付けたので、パーマネント用ペーパー２０をエプロン４６方向に押さえ込んで、パーマネント用ペーパー２０のばらつきを防止することができる。
（ｑ）大量のパーマネント用ペーパー２０を箱体３９内に収納しても、パーマネント用ペーパー２０がバラバラになることがなく、整然と収納することができるので、巻き付け作業性を向上させることができる。
（ｒ）箱体３９の左側面３９ｃにおいて、開口されていない部分が、パーマネント用ペーパー２０を取り出す際の押えとなり、パーマネント用ペーパー２０が二枚以上重なって取り出されないようにすることができる。
（ｓ）ペーパー取出し口３９ｆの形状が弧状なので、パーマネント用ペーパー２０を取り出す際、パーマネント用ペーパー２０が箱体３９のペーパー取出し口３９の開口部に接触しても、パーマネント用ペーパー２０が損傷したり、破れたりするのを防止することができ、更にパーマネント用ペーパー２０が箱体３９から簡単に取り出すことができるので、頭髪の束をロッドに巻き付けながら、同時にパーマネント用ペーパー２０をロッドに巻き付けるという熟練を要する作業を簡易化することができる。
（ｔ）上側ペーパー押え３９ｈによりパーマネント用ペーパー２０が箱体３９の上方へ上がり、ばらついてしまうのを防止し、パーマネント用ペーパー２０を下方へ押え込み、パーマネント用ペーパー２０を取り出し易くすることができ、更にパーマネント用ペーパー２０を取り出した後、他のパーマネント用ペーパー２０が動いて乱れるのを防ぐことができる。
（ｕ）箱体３９が箱体ケース４０から脱着自在なので、パーマネント用ペーパー２０を箱体３９に出し入れする際、箱体３９を箱体ケース４０から取り出してパーマネント用ペーパー２０を収納することができ、極めて便利となる。
（ｈ）パーマネント液収容部３１を備えているので頭髪の束をロッドに巻き付ける作業に必要な小物や、パーマネント液を入れた容器４３を、施術中、常時所持し、適宜取り出して使用することができる。
【産業上の利用可能性】
【０１０５】
各々の施術者がロッド、輪ゴム、ペーパー、ピン、ハサミ、カーラー、パーマネント液等を機能的かつコンパクトに収納、所持し、一つ一つ取り出し易くしたので、パーマネントウェーブの施術作業効率が向上し、スムーズに施術作業を進めることができるとともに、大型の移動式ワゴン等の設置スペースを確保する必要がなくなり、美容室、理容室の店内の空間を有効的に利用することのできるパーマネント用エプロンを提供する。
【符号の説明】
【０１０６】
１、４６  エプロン
２、２９  ロッド収容部
３  被掛止部材
３ａ  掛止部材挿通部
４  タオル等収容口
５、７  面ファスナー
６  ベルト
８、４２  係止部材
９、２１  道具用アタッチメント
１０  アイロン及びドライヤー収容部
１１  掛止部材
１２  パーマネント部材用アタッチメント
１３  パーマネント部材用アタッチメント基台
１４  ゴム掛止部材
１４ａ  抜け防止部
１５  パーマネント用ゴム収容部
１６  パーマネント用ゴム
１７、２８  パーマネント用ペーパー収容部
１８  ペーパー取出し口
１９  ペーパー供給口
２０  パーマネント用ペーパー
２２  道具用アタッチメント基台
２３  ハサミ収容部
２４  ハサミ収容口
２５  ハサミ
２６、４７  パーマネント用エプロン
２７  二連式ゴム収容部
３０  小物収納部
３１  パーマネント液収納部
３２、３５  ゴム掛け具
３２ａ  基部
３４、３７  ゴム受部
３３、３６  ゴム脱落防止部
３８  支持板
３９  箱体
３９ａ  箱体の底面
３９ｂ  箱体の上面
３９ｃ  箱体の左側面
３９ｄ  箱体の全面
３９ｅ  箱体の背面
３９ｆ  ペーパー取出し口
３９ｇ  下側ペーパー押え
３９ｈ  上側ペーパー押え
４０  箱体ケース
４０ａ  上ケース
４０ｂ  下ケース
４１  箱体ケース支持板
４３  パーマネント液を入れた容器
４４  箱体押え
４５  ピン
４６  帯状エプロン
【図１】
0003158095.tif 000003
【図２】
0003158095.tif 000004
【図３】
0003158095.tif 000005
【図４】
0003158095.tif 000006
【図５】
0003158095.tif 000007
【図６】
0003158095.tif 000008
【図７】
0003158095.tif 000009
【図８】
0003158095.tif 000010
【図９】
0003158095.tif 000011
【図１０】
0003158095.tif 000012
【図１１】
0003158095.tif 000013
【図１２】
0003158095.tif 000014
【図１３】
0003158095.tif 000015
【図１４】
0003158095.tif 000016
【図１５】
0003158095.tif 000017
【図１６】
0003158095.tif 000018
【手続補正書】
【提出日】平成22年1月13日(2010.1.13)
【手続補正１】
【補正対象書類名】実用新案登録請求の範囲
【補正対象項目名】全文
【補正方法】変更
【補正の内容】
【実用新案登録請求の範囲】
【請求項１】
帯状若しくは袋状のエプロンに、
パーマネント用ロッドを収容するロッド収容部と、
理美容器具を収容するアタッチメントと、を備えたパーマネント用エプロンであって、
（ａ）前記ロッド収容部が袋状に形成され、
（ｂ）前記アタッチメントが一部に開口部を有する筒状に形成され、
前記アタッチメントと前記エプロンとが互いを着脱自在に係止するアタッチメント係止手段を備えたことを特徴とするパーマネント用エプロン。
【請求項２】
帯状若しくは袋状のエプロンに、
（ａ）少なくとも２以上のゴム掛止部材を備え、パーマネント用ゴムを輪状に収納するパーマネント用ゴム収納部と、
（ｂ）箱体又は袋状に形成され、パーマネント用ペーパーを収納するパーマネント用ペーパー収納部と、
（ｃ）袋状に形成され、パーマネント用ロッドを収納するロッド収納部と、
のいずれか１以上を備えたことを特徴とするパーマネント用エプロン。
【請求項３】
（ａ）少なくとも２以上のゴム掛止部材を備え、パーマネント用ゴムを輪状に収納するパーマネント用ゴム収容部と、
（ｂ）箱体又は袋状に形成されたパーマネント用ペーパー収容部と、
が前記アタッチメントの１の基台に固定され又は着脱自在に配設されたことを特徴とする請求項１に記載のパーマネント用エプロン。
【請求項４】
前記パーマネント用ゴム収容部の対向する前記ゴム掛止部材が拡狭自在に前記基台に備えたことを特徴とする請求項３に記載のパーマネント用エプロン。
【請求項５】
前記ゴム掛止部材の先端に傾斜、又は凸部が形成された抜け防止部を有することを特徴とする請求項２乃至４のうちいずれか１項に記載のパーマネント用エプロン。
【請求項６】
前記パーマネント用ゴム収納部が、
（ａ）左右対称に並設させた断面Ｕ字形のゴム掛止部材を有するゴム掛け具と、
（ｂ）前記ゴム掛け具を前記エプロン若しくは前記基台面に固定又は着脱自在に係止する支持板と、
を備えたことを特徴とする請求項３又は４に記載のパーマネント用エプロン。
【請求項７】
前記パーマネント用ゴム収納部が、
（ａ）前記エプロン若しくは前記基台面に対して左右対称に傾斜させて並設させたゴム脱落防止部と、
（ｂ）前記エプロン面若しくは前記基台面から所定間隔離して前記エプロン面若しくは前記基台面と略水平方向に左右対称に並設させたゴム受部とを有するゴム掛け具と、
（ｃ）前記ゴム掛け具を前記エプロン若しくは前記基台面に固定又は着脱自在に係止する支持板と、
を備えたことを特徴とする請求項３又は４に記載のパーマネント用エプロン。
【請求項８】
前記パーマネント用ペーパー収容部が、
（ａ）パーマネント用ペーパーを収納する箱体と、
（ｂ）前記箱体を脱着自在に支持する箱体ケースとからなり、
前記箱体は、底面の一端を開口させ、一側面の下方を開口させるとともに、前記エプロン面若しくは前記基台面と反対側の前面の下方一部を開口させてペーパー取出し口とし、前記底面の内壁にペーパー押えを備えたことを特徴とする請求項３又は４に記載のパーマネント用エプロン。
【請求項９】
前記箱体の前記前面の開口部と、前記側面の開口部が弧状に切り込まれたことを特徴とする請求項８に記載のパーマネント用エプロン。
【請求項１０】
前記箱体の上面の内壁にペーパー押えを備えたことを特徴とする請求項８または９に記載のパーマネント用エプロン。
【請求項１１】
前記箱体ケースが、
（ａ）前記箱体を上下方向から支持するＬ字形の上ケース・下ケースと、
（ｂ）前記上ケース・下ケースを前記エプロン若しくは前記基台面に固定又は着脱自在に係止する支持板と、
（ｃ）前記支持板に取付けた箱体押えと、
を備えたことを特徴とする請求項８乃至１０のうちいずれか１項に記載のパーマネント用エプロン。
【請求項１２】
パーマネント用小物を収納する袋状の小物収納部及び／又はパーマネント液を含有させた容器を収納する袋状のパーマネント液収納部を備えたことを特徴とする請求項１乃至１１のうちいずれか１項に記載のパーマネント用エプロン。
【請求項１３】
前記パーマネント用エプロンが複数の前記アタッチメント係止手段と、複数の前記アタッチメントとを備えたことを特徴とする請求項１又は３乃至１２のうちいずれか１項に記載のパーマネント用エプロン。
【請求項１４】
前記アタッチメント係止手段が、前記エプロン側または前記アタッチメント側のどちらか一方に被掛止部材を備え、他方に前記被掛止部材に掛止する掛止部材を備えたことを特徴とする請求項１又は３乃至１３のうちいずれか１項に記載のパーマネント用エプロン。
【請求項１５】
前記アタッチメント係止手段が面ファスナーで形成されていることを特徴とする請求項１又は３乃至１４のうちいずれか１項に記載のパーマネント用エプロン。
【請求項１６】
前記エプロンの上端に係止部材を備えたことを特徴とする請求項１乃至１５のうちいずれか１項に記載のパーマネント用エプロン。
【請求項１７】
ベルトと前記エプロンとを面ファスナー及び／又は係止部材によって着脱自在に係止したことを特徴とする請求項１乃至１６のうちいずれか１項に記載のパーマネント用エプロン。
【手続補正２】
【補正対象書類名】明細書
【補正対象項目名】００２７
【補正方法】変更
【補正の内容】
【００２７】
請求項３に記載のパーマネント用エプロンは、請求項１に記載したパーマネント用エプロンであって、（ａ）少なくとも２以上のゴム掛止部材を備え、パーマネント用ゴムを輪状に収納するパーマネント用ゴム収容部と、（ｂ）箱体又は袋状に形成されたパーマネント用ペーパー収容部と、が前記アタッチメントの１の基台に固定され又は着脱自在に配設された構成を有している。
この構成により、請求項１で得られる作用に加え、以下の様な作用が得られる。
（１）アタッチメントにパーマネント用ゴム収容部とパーマネント用ペーパー収容部を配設することによって、ロッド以外にパーマネント部材を一式パーマネント用エプロンに揃えることができるので、パーマネント施術作業性が格段に向上する。
（２）パーマネント用ゴム収容部やパーマネント用ペーパー収容部を着脱自在に配設することができるので、輪ゴムやペーパーの補填や交換等の作業が簡単にできて作業性を向上させることができる。
【手続補正３】
【補正対象書類名】明細書
【補正対象項目名】００２９
【補正方法】変更
【補正の内容】
【００２９】
パーマネント用ゴム収容部は請求項２のものと同様のものを用いることができる。また、２本以上のゴム掛止部材を全て独立して作成し、このゴム掛止部材をアタッチメントの基台に配設することもできる。
ゴム掛止部材各々を直接基台に接合する場合、基台には輪ゴムの張力に負けて基台が歪まない厚みを持つものを使用する。
【手続補正４】
【補正対象書類名】明細書
【補正対象項目名】００３５
【補正方法】変更
【補正の内容】
【００３５】
請求項４に記載のパーマネント用エプロンは、請求項３に記載のパーマネント用エプロンであって、前記パーマネント用ゴム収容部の対向する前記ゴム掛止部材が拡狭自在に前記基台に備えた構成を有している。
この構成により、請求項３で得られる作用に加えて、以下の様な作用が得られる。
（１）対向するゴム掛止部材がゴム収容基部に拡狭自在に配設されているので、各々のゴム掛止部材同士の間隔を拡げたり狭めたりして様々な径の輪ゴムを係止することができるので、汎用性に優れる。
【手続補正５】
【補正対象書類名】明細書
【補正対象項目名】００３９
【補正方法】変更
【補正の内容】
【００３９】
請求項６に記載のパーマネント用エプロンは、請求項３又は４に記載のパーマネント用エプロンであって、前記パーマネント用ゴム収納部が、（ａ）左右対称に並設させた断面Ｕ字形の突設部を有するゴム掛け具と、（ｂ）前記ゴム掛け具を前記エプロン若しくは前記基台面に固定又は着脱自在に係止する支持板と、を備えた構成を有している。
この構成により、請求項３又は４で得られる作用に加えて、以下の様な作用が得られる。
（１）ゴム掛け部が簡易な構造を有するので、パーマネント用エプロンを容易に製作することができる
（２）輪ゴムを容易にゴム掛け具に掛けて収容することができ、また輪ゴムの取出しが容易で、施術作業性が良くなる
【手続補正６】
【補正対象書類名】明細書
【補正対象項目名】００４１
【補正方法】変更
【補正の内容】
【００４１】
請求項７に記載のパーマネント用エプロンは、請求項３又は４に記載のパーマネント用エプロンであって、前記パーマネント用ゴム収納部が、（ａ）左右対称に前記エプロン若しくは前記基台面に対して傾斜させて並設させたゴム脱落防止部と、（ｂ）前記エプロン面若しくは前記基台面から所定間隔離して前記エプロン面若しくは前記基台面と略水平方向に左右対称に並設させたゴム受部とを有するゴム掛け具と、（ｃ）前記ゴム掛け具を前記エプロン若しくは前記基台面に固定又は着脱自在に係止する支持板と、を備えた構成を有している。
この構成により、請求項３又は４で得られる作用に加えて、以下の様な作用が得られる。
（１）輪ゴムを一本一本片手で容易に取り出すことが可能となり、よって、大量のロッドに頭髪の束を巻き付ける作業において、作業の迅速性、確実性に極めて優れる。
（２）輪ゴムの取出しがスムーズとなるので、頭髪をロッドに巻き付けた後、すぐに輪ゴムをロッドに掛けることができるので、ロッドに巻き付けられた頭髪の束がゆるんで乱れることなく、均一なパーマネントウェーブを形成することができる。
（３）突出部がエプロン面若しくは基台面に対して傾斜した角度で並設されているので、輪ゴムはしっかりとゴム収納部に固定され、パーマネント施術者がエプロンを着用しても、輪ゴムがゴム掛け具から脱落することを防止する。
（４）エプロン面から所定間隔離した位置に、突出部がエプロン面と略水平方向に並設されているので、輪ゴムがエプロン面に接することなく掛けられ、輪ゴムを一本一本容易に取り出すことができる。
（５）エプロン若しくは基台へ固定する為の支持板を取り付けたので、ゴム掛け具をエプロン若しくは基台に固定することができ、安定性を保つことができる。
【手続補正７】
【補正対象書類名】明細書
【補正対象項目名】００４５
【補正方法】変更
【補正の内容】
【００４５】
請求項８に記載のパーマネント用エプロンは、請求項３又は４に記載のパーマネント用エプロンであって、前記パーマネント用ペーパー収容部が、（ａ）パーマネント用ペーパーを収納する箱体と、（ｂ）前記箱体を脱着自在に支持する箱体ケースとからなり、前記箱体は、底面の一端を開口させ、一側面の下方を開口させるとともに、前記エプロン面若しくは前記基台面と反対側の前面の下方一部を開口させてペーパー取出し口とし、前記底面の内壁にペーパー押えを備えた構成を有している。
この構成により、請求項３又は４で得られる作用に加えて、以下の様な作用が得られる。
（１）施術者は顧客の方向を向き立ったままの姿勢で、箱体の中に収納したペーパーを取り出すことが可能となる。
（２）ペーパーが重なって取り出されることがなく、一枚一枚簡単に取り出すことができる。
（３）底面の内壁にペーパー押えを取り付けたので、ペーパーをエプロン方向に押さえ込んで、ペーパーのばらつきを防止することができる。
（４）大量のペーパーを箱体内に収納しても、ペーパーがバラバラになることがなく、整然と収納することができるので、巻き付け作業性を向上させることができる。
（５）開口させた側面において、開口されていない部分が、ペーパーを取り出す際の押えとなり、ペーパーが二枚以上重なって取り出されないようにすることができる。
【手続補正８】
【補正対象書類名】明細書
【補正対象項目名】００５３
【補正方法】変更
【補正の内容】
【００５３】
請求項１３に記載のパーマネント用エプロンは、請求項１又は３乃至１２のうちいずれか１項に記載のパーマネント用エプロンであって、前記パーマネント用エプロンが複数の前記アタッチメント係止手段と、複数の前記アタッチメントとを備えた構成を有している。
この構成により、請求項１又は３乃至１２のうちいずれか１項で得られる作用に加えて、以下の様な作用が得られる。
（１）パーマネント施術用具以外にもカットやブローなどに使用する理美容器具を収容できるので、同時に複数の顧客に対して異なるサービスを提供できる。
（２）パーマネント施術作業時にはパーマネント部材用アタッチメントを使用し、カットやブローの作業に移行する場合はパーマネント部材用アタッチメントを取り外して道具用アタッチメントを使用することで、パーマネント被施術者とは別にカットやブローを待つ顧客への対応が可能となる。
（３）ロッドと輪ゴムとペーパーとアイロンとを携帯できるので、頭頂部と後頭部にウェーブパーマを施術しながら前頭部と側頭部にはストレートパーマを施術するなど、複雑なパーマネント施術にも対応することができる。
【手続補正９】
【補正対象書類名】明細書
【補正対象項目名】００５４
【補正方法】変更
【補正の内容】
【００５４】
請求項１４に記載のパーマネント用エプロンは、請求項１又は３乃至１３のうちいずれか１項に記載のパーマネント用エプロンであって、前記アタッチメント係止手段が、前記エプロン側または前記アタッチメント側のどちらか一方に被掛止部材を備え、他方に前記被掛止部材に掛止する掛止部材を備えた構成を有している。
この構成により、請求項１又は３乃至１３のうちいずれか１項で得られる作用に加えて、以下の様な作用が得られる。
（１）被掛止部に掛止部材を掛けるという簡単な動作でパーマネント用エプロンとアタッチメントを掛止でき、アタッチメントの着脱及び交換が著しく容易で、作業性を高めることができる。
（２）パーマネント被施術者に施術する場合はパーマネント部材を収納したアタッチメントを使用し、カットやブローを待つ他の顧客に対応する場合は、カット若しくはブロー用の器具が収納されたアタッチメントに瞬時かつ容易に取り換えることができる。
【手続補正１０】
【補正対象書類名】明細書
【補正対象項目名】００５６
【補正方法】変更
【補正の内容】
【００５６】
請求項１５に記載のパーマネント用エプロンは、請求項１又は３乃至１４のうちいずれか１項に記載のパーマネント用エプロンであって、前記アタッチメント係止手段が面ファスナーで形成されている構成を有している。
この構成により、請求項１又は３乃至１４のうちいずれか１項で得られる作用に加えて、以下の様な作用が得られる。
（１）面ファスナーを用いることで製造が容易かつ安価になる。
（２）面ファスナーを用いるので、アタッチメントとエプロンとの密着性が良く、操作性に優れ、かつ容易に着脱及び交換ができる。
【手続補正１１】
【補正対象書類名】明細書
【補正対象項目名】００６５
【補正方法】変更
【補正の内容】
【００６５】
請求項４に記載の考案によれば、請求項３の効果に加え、以下の様な効果を有する。
（１）対向するゴム掛止部材がゴム収容基部に拡狭自在に配設されているので、各々のゴム掛止部材同士の間隔を拡げたり狭めたりして様々な径の輪ゴムを係止することができるので、汎用性に優れるパーマネント用エプロンを提供することができる。
【手続補正１２】
【補正対象書類名】明細書
【補正対象項目名】００６７
【補正方法】変更
【補正の内容】
【００６７】
請求項６に記載の考案によれば、請求項３又は４の効果に加え、以下の様な効果を有する。
（１）ゴム掛け部が簡易な構造を有するので、製作が容易なパーマネント用エプロンを提供することができる。
（２）輪ゴムを容易にゴム掛け具に掛けて収容することができ、また輪ゴムの取出しが容易で、施術作業性が向上するパーマネント用エプロンを提供することができる。
【手続補正１３】
【補正対象書類名】明細書
【補正対象項目名】００６８
【補正方法】変更
【補正の内容】
【００６８】
請求項７に記載の考案によれば、請求項３又は４の効果に加え、以下の様な効果を有する。
（１）輪ゴムを一本一本片手で容易に取り出すことが可能となり、よって、大量のロッドに頭髪の束を巻き付ける作業において、作業の迅速性、確実性に極めて優れるパーマネント用エプロンを提供することができる。
（２）頭髪をロッドに巻き付けたのち、頭髪の束がゆるみ乱れる前に素早く輪ゴムを取出してロッドに掛けることができるので、均一なパーマネントウェーブを形成可能なパーマネント用エプロンを提供することができる。
（３）突出部がエプロン面若しくは基台面に対して傾斜した角度で並設されているので、輪ゴムはしっかりとゴム収納部に固定され、パーマネント施術者がエプロンを着用しても、輪ゴムがゴム掛け具から脱落することを防止して作業の確実性を向上させるパーマネント用エプロンを提供することができる。
（４）エプロン面から所定間隔離した位置に、突出部がエプロン面と略水平方向に並設されているので、輪ゴムがエプロン面に接することなく掛けられ、輪ゴムを一本一本容易に取り出せて取出し容易性に優れ、作業性を向上させるパーマネント用エプロンを提供することができる。
（５）エプロン若しくは基台へ固定する為の指示板を取り付けたので、ゴム掛け具をエプロン若しくは基台に固定することができ、安定性を保つことが可能なパーマネント用エプロンを提供することができる。
【手続補正１４】
【補正対象書類名】明細書
【補正対象項目名】００６９
【補正方法】変更
【補正の内容】
【００６９】
請求項８に記載の考案によれば、請求項３又は４の効果に加え、以下の様な効果を有する。
（１）施術者は顧客の方向を向き立ったままの姿勢で、箱体の中に収納したペーパーを取り出すことが可能で作業性を向上させるパーマネント用エプロンを提供することができる。
（２）ペーパーが重なって取り出されることがなく、一枚一枚簡単に取り出せて作業性が向上するパーマネント用エプロンを提供することができる。
（３）底面の内壁にペーパー押えを取り付けたので、ペーパーをエプロン方向に押さえ込んで、ペーパーのばらつきを防止し作業の確実性を高め、作業性を向上させるパーマネント用エプロンを提供することができる。
（４）大量のペーパーを箱体内に収納しても、ペーパーがバラバラになることがなく、整然と収納することができるので、巻き付け作業性を向上させるパーマネント用エプロンを提供することができる。
（５）開口させた側面において、開口されていない部分がペーパーを取り出す際の押えとなり、ペーパーが二枚以上重なって取り出されず作業の確実性を高め、作業性が向上するパーマネント用エプロンを提供することができる。
【手続補正１５】
【補正対象書類名】明細書
【補正対象項目名】００７４
【補正方法】変更
【補正の内容】
【００７４】
請求項１３に記載の考案によれば、請求項１又は３乃至１２のうちいずれか１項の効果に加え、以下の様な効果を有する。
（１）パーマネント施術用具以外にもカットやブローなどに使用する理美容器具を収容できるので、同時に複数の顧客に対して異なるサービスを提供可能で汎用性に優れるパーマネント用エプロンを提供することができる。
（２）パーマネント施術作業時にはパーマネント部材用アタッチメントを使用し、カットやブローの作業に移行する場合はパーマネント部材用アタッチメントを取り外して道具用アタッチメントを使用することで、パーマネント被施術者とは別にカットやブローを待つ顧客への対応が可能で汎用性に優れるパーマネント用エプロンを提供することができる。
（３）ロッドと輪ゴムとペーパーとアイロンを携帯できるので、頭頂部と後頭部にウェーブパーマを施術しながら前頭部と側頭部にはストレートパーマを施術するなど、複雑なパーマネント施術にも対応可能で汎用性に優れるパーマネント用エプロンを提供することができる。
【手続補正１６】
【補正対象書類名】明細書
【補正対象項目名】００７５
【補正方法】変更
【補正の内容】
【００７５】
請求項１４に記載の考案によれば、請求項１又は３乃至１３のうちいずれか１項の効果に加え、以下の様な効果を有する。
（１）被掛止部材に掛止部を掛けるという簡単な動作でパーマネント用エプロンとアタッチメントを掛止でき、アタッチメントの着脱及び交換が著しく容易で、作業性が向上するパーマネント用エプロンを提供することができる。
（２）パーマネント被施術者に施術する場合はパーマネント部材を収納したアタッチメントを使用し、カットやブローを待つ他の顧客に対応する場合は、カット又はブロー用の器具が収納されたアタッチメントに瞬時かつ容易に取り換えられ、作業性に優れるパーマネント用エプロンを提供することができる。
【手続補正１７】
【補正対象書類名】明細書
【補正対象項目名】００７６
【補正方法】変更
【補正の内容】
【００７６】
請求項１５に記載の発明によれば、請求項１又は３乃至１４のうちいずれか１項の効果に加え、以下の様な効果を有する。
（１）面ファスナーを用いることで容易かつ安価に製造可能なパーマネント用エプロンを提供することができる。
（２）面ファスナーを用いるので、アタッチメントとエプロンとの密着性が良く、操作性に優れ、かつ容易に着脱及び交換が可能なパーマネント用エプロンを提供することができる。